(57)【要約】【課題】映像再生装置の複数の受信部の出力の映像データを有効に使用して、画像を表示部のディスプレイに表示すること。【解決手段】映像再生装置の具備する第１の受信部の出力する映像データをデコーダで復号する過程と、前記映像再生装置の具備する第２の受信部の出力する映像データを接続手段を介して外部機器へ転送する過程と、前記外部機器のデコーダで前記接続手段を介して供給された映像データを復号する過程と、前記外部機器のデコーダで復号した映像信号を前記接続手段を介して前記映像再生装置へ転送する過程と、前記映像再生装置のデコーダで復号した映像信号と、前記接続手段を介して転送された映像信号とを合成する過程と、前記合成の結果の映像をディスプレイに表示する過程と、を具備する。【選択図】図２
2011193293.tif 000002
【特許請求の範囲】
【請求項１】
第１の受信部と、
第２の受信部と、
第２の受信部の映像データを受信する切替部と、
第１の受信部の映像データと前記切替部の第１の出力の映像データとを受けて復号するデコーダと、
前記切替部の第２の出力の映像データを受ける接続手段と、
前記デコーダの出力する映像信号と、前記接続手段から供給される映像信号とを合成する合成部と、
前記合成部の出力する映像を表示する表示部と、
を具備することを特徴とする映像再生装置。
【請求項２】
外部機器のモジュールの起動又は停止を指示する外部モジュール起動停止部を具備することを特徴とする請求項１に記載の映像再生装置。
【請求項３】
前記接続手段は前記デコーダで復号する前の映像データ及び復号した後の映像信号の転送に用いられる単一又は複数の接続手段であることを特徴とする請求項１に記載の映像再生装置。
【請求項４】
第１の受信部及び第２の受信部は、それぞれ放送搬送波を受信するチューナ、ウィジェットを含むストリームデータを受信するパケット通信部のいずれかであることを特徴とする請求項１に記載の映像再生装置。
【請求項５】
接続手段と、
前記接続手段の出力する映像データを復号するデコーダと、
前記デコーダの出力する映像信号を供給される前記接続手段と、
を具備することを特徴とする外部機器。
【請求項６】
モジュールの起動又は停止を指示するモジュール起動停止部を具備することを特徴とする請求項５に記載の外部機器。
【請求項７】
前記接続手段はデコーダで復号する前の映像データ及び復号した後の映像信号の転送に用いられる単一又は複数の接続手段であることを特徴とする請求項５に記載の外部機器。
【請求項８】
放送波を受信するチューナ、ストリームデータを受信するパケット通信部、映像データ保存部のいずれかを具備することを特徴とする請求項５に記載の外部機器。
【請求項９】
請求項１記載の映像再生装置と、
請求項５に記載の外部機器と、
前記映像再生装置の前記接続手段と前記外部機器の前記接続手段は共通に接続されることと、
を具備することを特徴とする映像表示装置。
【請求項１０】
第１の受信部と、
第２の受信部と、
第２の受信部の映像データを受信する切替部と、
第１の受信部の映像データと前記切替部の第１の出力の映像データとを受けて復号するデコーダと、
前記デコーダの出力する映像信号を受ける接続手段と、
前記切替部の第２の出力の映像データを受ける前記接続手段と、
を具備することを特徴とする映像再生装置。
【請求項１１】
外部機器のモジュールの起動又は停止を指示する外部モジュール起動停止部を具備することを特徴とする請求項１０に記載の映像再生装置。
【請求項１２】
前記接続手段はデコーダで復号する前の映像データ及び復号した後の映像信号の転送に用いられる単一又は複数の接続手段であることを特徴とする請求項１０に記載の映像再生装置。
【請求項１３】
第１の受信部及び第２の受信部は、それぞれ放送搬送波を受信するチューナ、ウィジェットを含むストリームデータを受信するパケット通信部のいずれかであることを特徴とする請求項１０に記載の映像再生装置。
【請求項１４】
接続手段と、
前記接続手段の出力する映像データを復号するデコーダと、
前記デコーダの出力する映像信号と、前記接続手段から供給される映像信号とを合成する合成部と、
前記合成部の出力する映像を表示する表示部と、
を具備することを特徴とする外部機器。
【請求項１５】
モジュールの起動又は停止を指示するモジュール起動停止部を具備することを特徴とする請求項１４に記載の外部機器。
【請求項１６】
前記接続手段はデコーダで復号する前の映像データ及び復号した後の映像信号の転送に用いられる単一又は複数の接続手段であることを特徴とする請求項１４に記載の外部機器。
【請求項１７】
請求項１０記載の映像再生装置と、
請求項１４に記載の外部機器と、
前記映像再生装置の前記接続手段と前記外部機器の前記接続手段は共通に接続されることと、
を具備することを特徴とする映像表示装置。
【請求項１８】
映像再生装置の具備する第１の受信部の出力する映像データをデコーダで復号する過程と、
前記映像再生装置の具備する第２の受信部の出力する映像データを接続手段を介して外部機器へ転送する過程と、
前記外部機器のデコーダで前記接続手段を介して供給された映像データを復号する過程と、
前記外部機器のデコーダで復号した映像信号を前記接続手段を介して前記映像再生装置へ転送する過程と、
前記映像再生装置のデコーダで復号した映像信号と、前記接続手段を介して転送された映像信号とを合成する過程と、
前記合成の結果の映像をディスプレイに表示する過程と、
を具備することを特徴とする映像表示方法。
【請求項１９】
映像再生装置の具備する第１の受信部の出力する映像データをデコーダで復号する過程と、
前記映像再生装置の具備する第２の受信部の出力する映像データを接続手段を介して外部機器へ転送する過程と、
前記外部機器のデコーダで前記接続手段を介して供給された映像データを復号する過程と、
前記映像再生装置の前記デコーダで復号した映像信号を前記接続手段を介して前記外部機器へ転送する過程と、
前記外部機器のデコーダで復号した映像信号と、前記接続手段を介して転送された映像信号とを合成する過程と、
前記合成の結果の映像をディスプレイに表示する過程と、
を具備することを特徴とする映像表示方法。
【発明の詳細な説明】
【技術分野】
【０００１】
本発明は、映像再生装置、外部機器、映像表示装置及び映像表示方法に関する。
【背景技術】
【０００２】
映像表示装置は、典型的にはテレビジョン受像機であるが、その主な映像データの供給源としては、地上ディジタル波の他に、衛星放送波ある。さらに、映像データは、空間を伝搬する無線波を受信することでそのサービスの提供を受け得るのみならず、最近は、ケーブルを用いたＣＡＴＶ、ＦＴＴＨを用いたサービスも広く普及している。その他に、外部機器として、ハードディスクとか、ＤＶＤ、ＢＤといったレコーダーにテレビジョン受像機を接続して、そのレコーダに収録されたソフトとしての映像、画像をテレビジョン受像機で表示することも一般化している。最近は、ウィジェットのような簡易プログラムの外部からの提供を受けて、テレビジョン受像機の画面上に分割表示することが普及している。
【０００３】
また、ＩＰＴＶ用のセットトップボックスが、ＶＯＤサーバ又はウィジェットサーバからネットワークを介して配信された画像及び音声のパケットに対して、ＭＰＥＧデコーダにより復号処理を行って映像及び音声信号を得て、これらの信号をＨＤＭＩケーブルを介して２つの受信部を有するテレビジョン受像機へ送出し、テレビジョン受像機はＨＤＭＩケーブルを介して供給されたこれらの映像及び音声信号に対応した画像及び音声を表示用パネルに表示し、スピーカから出力する提案がなされている（特許文献１参照）。
【先行技術文献】
【特許文献】
【０００４】
【特許文献１】特開２００９−８８９４１号公報
【発明の概要】
【発明が解決しようとする課題】
【０００５】
しかし、従来の技術では、テレビジョン受像機の２つの受信部を有効に使用できないという欠点があった。本発明は、これらの従来技術の欠点を解決するものである。
【課題を解決するための手段】
【０００６】
（１）本発明は上述した課題を解決するためになされたもので、本発明の映像再生装置は、  第１の受信部と、第２の受信部と、第２の受信部の映像データを受信する切替部と、第１の受信部の映像データと前記切替部の第１の出力の映像データとを受けて復号するデコーダと、前記切替部の第２の出力の映像データを受ける接続手段と、前記デコーダの出力する映像信号と、前記接続手段から供給される映像信号とを合成する合成部と、前記合成部の出力する映像を表示する表示部と、を具備することを特徴とする。
【０００７】
（２）また、本発明の映像表示装置は上述の映像表示装置であって、外部機器のモジュールの起動又は停止を指示する外部モジュール起動停止部を具備することを特徴とする。
【０００８】
（３）また、本発明の映像表示装置は上述の映像表示装置であって、前記接続手段はデコーダで復号する前の映像データ及び復号した後の映像信号の転送に用いられる単一又は複数の接続手段であることを特徴とする。
【０００９】
（４）また、本発明の映像表示装置は上述の映像表示装置であって、第１の受信部及び第２の受信部は、それぞれ放送搬送波を受信するチューナ、ウィジェットを含むストリームデータを受信するパケット通信部のいずれかであることを特徴とする。
【００１０】
（５）本発明は上述した課題を解決するためになされたもので、本発明の外部機器は、接続手段と、前記接続手段の出力する映像データを復号するデコーダと、前記デコーダの出力する映像信号を供給される前記接続手段と、を具備することを特徴とする。
【００１１】
（６）また、本発明の外部機器は上述の外部機器であって、モジュールの起動又は停止を指示するモジュール起動停止部を具備することを特徴とする。
【００１２】
（７）また、本発明の外部機器は上述の外部機器であって、前記接続手段はデコーダで復号する前の映像データ及び復号した後の映像信号の転送に用いられる単一又は複数の接続手段であることを特徴とする。
【００１３】
（８）また、本発明の外部機器は上述の外部機器であって、放送波を受信するチューナ、ストリームデータを受信するパケット通信部、映像データ保存部のいずれかを具備することを特徴とする。
【００１４】
（９）本発明は上述した課題を解決するためになされたもので、本発明の映像表示装置は、  上記（１）に記載の映像再生装置と、上記（５）に記載の外部機器と、前記映像再生装置の前記接続手段と前記外部機器の前記接続手段は共通に接続されることと、を具備することを特徴とする。
【００１５】
（１０）本発明は上述した課題を解決するためになされたもので、本発明の映像再生装置は、第１の受信部と、第２の受信部と、第２の受信部の映像データを受信する切替部と、  第１の受信部の映像データと前記切替部の第１の出力の映像データとを受けて復号するデコーダと、前記デコーダの出力する映像信号を受ける接続手段と、前記切替部の第２の出力の映像データを受ける前記接続手段と、
を具備することを特徴とする。
【００１６】
（１１）また、本発明の映像再生装置は上述の映像再生装置であって、外部機器のモジュールの起動又は停止を指示する外部モジュール起動停止部を具備することを特徴とする。
【００１７】
（１２）また、本発明の映像再生装置は上述の映像再生装置であって、前記接続手段はデコーダで復号する前の映像データ及び復号した後の映像信号の転送に用いられる単一又は複数の接続手段であることを特徴とする。
【００１８】
（１３）また、本発明の映像再生装置は上述の映像再生装置であって、第１の受信部及び第２の受信部は、それぞれ放送搬送波を受信するチューナ、ウィジェットを含むストリームデータを受信するパケット通信部のいずれかであることを特徴とする。
【００１９】
（１４）本発明は上述した課題を解決するためになされたもので、本発明の外部機器は、  接続手段と、前記接続手段の出力する映像データを復号するデコーダと、前記デコーダの出力する映像信号と、前記接続手段から供給される映像信号とを合成する合成部と、前記合成部の出力する映像を表示する表示部と、を具備することを特徴とする。
【００２０】
（１５）また、本発明の外部機器は上述の外部機器であって、モジュールの起動又は停止を指示するモジュール起動停止部を具備することを特徴とする。
【００２１】
（１６）また、本発明の外部機器は上述の外部機器であって、  前記接続手段はデコーダで復号する前の映像データ及び復号した後の映像信号の転送に用いられる単一又は複数の接続手段であることを特徴とする。
【００２２】
（１７）本発明は上述した課題を解決するためになされたもので、本発明の映像表示装置は、上記（１０）に記載の映像再生装置と、上記（１４）に記載の外部機器と、前記映像再生装置の前記接続手段と前記外部機器の前記接続手段は共通に接続されることと、を具備することを特徴とする。
【００２３】
（１８）本発明は上述した課題を解決するためになされたもので、本発明の映像表示方法は、映像再生装置の具備する第１の受信部の出力する映像データをデコーダで復号する過程と、前記映像再生装置の具備する第２の受信部の出力する映像データを接続手段を介して外部機器へ転送する過程と、前記外部機器のデコーダで前記接続手段を介して供給された映像データを復号する過程と、前記外部機器のデコーダで復号した映像信号を前記接続手段を介して前記映像再生装置へ転送する過程と、前記映像再生装置のデコーダで復号した映像信号と、前記接続手段を介して転送された映像信号とを合成する過程と、前記合成の結果の映像をディスプレイに表示する過程と、を具備することを特徴とする。
【００２４】
（１９）本発明は上述した課題を解決するためになされたもので、本発明の映像表示方法は、映像再生装置の具備する第１の受信部の出力する映像データをデコーダで復号する過程と、前記映像再生装置の具備する第２の受信部の出力する映像データを接続手段を介して外部機器へ転送する過程と、前記外部機器のデコーダで前記接続手段を介して供給された映像データを復号する過程と、前記映像再生装置の前記デコーダで復号した映像信号を前記接続手段を介して前記外部機器へ転送する過程と、前記外部機器のデコーダで復号した映像信号と、前記接続手段を介して転送された映像信号とを合成する過程と、前記合成の結果の映像をディスプレイに表示する過程と、を具備することを特徴とする。
【発明の効果】
【００２５】
本発明によれば、映像再生装置の複数の受信部の出力の映像データを有効に使用して、画像を表示部のディスプレイに表示することができる。
【図面の簡単な説明】
【００２６】
【図１】本発明の概略構成を説明する図である。
【図２】本発明の第1の実施形態の映像再生装置及び復号装置のより詳細な構成を示すブロック図である。
【図３】映像再生装置のさらに詳細な構成を示すブロック図である。
【図４】合成部の詳細な構成を示すブロック図である。
【図５】復号装置のさらに詳細な構成を示すブロック図である。
【図６】画面の表示の一例を示す図である。
【図７】映像再生装置の状態遷移図を示す。
【図８】同時再生の処理の流れを示すフローチャートである。
【図９】入出力リストの例示である。
【図１０】入出力リストの作成の際の処理の流れを示すフローチャートである。
【図１１】復号装置の状態遷移図を示す。
【図１２】映像再生装置の変形例を示す図である。
【図１３】映像再生装置の別の変形例を示す図である。
【図１４】映像再生装置のさらに別の変形例を示す図である。
【図１５】動画再生を終了する際の処理の流れを示す図である。
【図１６】再生情報保存部に保存するデータを例示する図である。
【図１７】ケーブルが非接続になった場合の処理の流れを示すフローチャートである。
【図１８】非接続時に別の復号装置で再生する際の処理の流れを示すフローチャートである。
【図１９】停止した動画を再度再生する際の処理の流れを示すフローチャートである。
【図２０】映像の再生時刻を通知する際の処理の流れを示すフローチャートである。
【図２１】トリック再生の際の処理の流れを示すフローチャートである。
【図２２】外部機器の変形例を示す図である。
【図２３】外部機器の別の変形例を示す図である。
【図２４】外部機器のさらに別の変形例を示す図である。
【図２５】外部機器使用中に行う入力切り換えの際の画面の表示例を示す図である。
【図２６】使用中の入力を選択不可能状態にする場合の処理の流れを示すフローチャートである。
【図２７】レコーダアプリが自分自身のデコーダを使用する際の処理の流れを示すフローチャートである。
【図２８】デコーダの選択により画質向上を行う際の処理の流れを示すフローチャートである。
【図２９】本発明の第２の実施形態の映像再生装置及び復号装置の概略構成を示すブロック図である。
【図３０】本発明の第２の実施形態における映像再生装置のより詳細な構成を示すブロック図である。
【図３１】本発明の第２の実施形態における復号装置のより詳細な構成を示すブロック図である。
【図３２】本発明の第２の実施形態における合成装置の詳細を示す図である。
【図３３】本発明の第２の実施形態の映像再生装置での描画処理の流れを示すフローチャート
【図３４】本発明の第２の実施形態における描画処理の流れを示すフローチャートである。
【図３５】本発明の第２の実施形態での映像とグラフィックスの重ね合わせを説明する概念説明図である。
【発明を実施するための形態】
【００２７】
以下、本発明の実施形態及び変形例について、詳細に説明をする。
【００２８】
＜第１の実施形態＞
図１は、本発明の映像表示装置１０の概略構成を説明するブロック図である。
映像表示装置１０は、映像再生装置１１及び復号装置１２を備える。なお、復号装置のことを外部機器ということがある。
映像再生装置１１は、放送局１３からの地上波により搬送されるテレビジョン信号を含む映像データを受信することができる。また、映像再生装置１１は、アプリケーションサーバ１４に保存されているアプリケーション、例えばウィジェットを、ネットワーク、例えばインターネット１５を介して転送させて、その保存・実行を行うことができる。その他に、映像再生装置１１は、衛星放送波により搬送されるテレビジョン信号を受信することができるし、ＣＡＴＶ（テレビジョンの有料放送サービス）とかＦＴＴＨ（光ファイバーによるデータ通信サービス）によりテレビジョン信号を受信できる。なお、映像再生装置１１は、上記の機能の内の任意のものを組み合わせて実行することができる。
【００２９】
図２は、映像再生装置１１及び復号装置１２のより詳細な構成を示すブロック図である。映像再生装置１１は、第１の受信部、第２の受信部である受信部２０１、受信部２０５、デコーダ２０２、合成部２０３、表示部２０４、切替部２０６、外部モジュール起動停止部２０７、インタフェース２０８を備える。
【００３０】
受信部２０１及び受信部２０５は、それぞれチューナとかパケット通信部とかであって、図１の放送局１３から送信された放送波から映像データ及び音声データを受信したり、図１のインタネット１５上にあるアプリケーションサーバ１４から配信された映像・音声データを受信する。なお、映像データ及び音声データの処理については同様に取り扱われるので、以下では専ら映像データの処理について説明を行い、音声データの処理については説明を省略する。
デコーダ２０２は、例えば圧縮・符号化された（場合により更に暗号化された）映像データを、表示可能な信号に復号化する。合成部２０３は、複数の映像信号を１つの表示用プレーン（ＤＲＡＭから成る画像メモリ）に統合する。表示部２０４は、例えば液晶表示装置、有機ＥＬ表示装置とかのディスプレイであって、合成部２０３からの映像データを表示する（音声データはアナログ信号に変換された後に図示しないスピーカから出力される。）。
【００３１】
インタフェース２０８は、映像再生装置１１と復号装置１２とを接続する有線又は無線の接続手段の接続端末であり、デコーダ２０２で復号する前の映像データを復号装置１２へ送信したり、また、復号装置１２のデコーダで復号された後の映像信号を、復号装置から受信するのに用いられる。切替部２０６は、受信部２０５で受信した映像データをデコーダ２０２へ送るか、インタフェース２０８に送るかを切り替える。外部モジュール起動停止部２０７は、インタフェース２０８で接続された復号装置１２のモジュールの起動停止を制御する。
【００３２】
復号装置１２は、モジュール起動停止部２０９、インタフェース２１０、デコーダ２１１を備える。なお、復号装置１２のデコーダ２１１のことを外部デコーダと称することがある。モジュール起動停止部２０９は、復号装置１２内のモジュールの起動停止を行う。
外部モジュール起動停止部２０７及びモジュール起動停止部２０９は、省電力を目的として復号装置１２のモジュールの起動停止を行う。
インタフェース２１０は、復号装置１２と映像再生装置１１とを接続する有線又は無線の接続手段の接続端末であり、デコーダ２１１で復号する前の映像データを映像再生装置１１から受信したり、また、復号装置１２のデコーダ２１１で復号した後の映像信号を映像再生装置１１へ送信したりするのに用いられる。デコーダ２１１は、映像データを表示可能な映像信号に復号する。
【００３３】
図３は、映像再生装置１１のさらに詳細なブロック図である。
図３の映像再生装置１１は、チューナ３０１、映像分離部３０２、デコーダ３０３、合成部３０４、表示部３０５、映像再生アプリ実行部３０６、パケット通信部３０７、ウィジェット抽出部３０８、ウィジェット実行部３０９、グラフィックス作成部３１０、映像再生制御部３１１、ＩＰ放送映像抽出部３１２、切替部３１３、外部入出力管理部３１４、外部機器再生制御部３１５、外部モジュール起動停止部３１６、映像信号入力部３１７、ｉ．ＬＩＮＫ３１８、ＨＤＭＩ３１９を備える。
【００３４】
チューナ３０１は、地上波とか衛星放送波とかの放送搬送波を受信する。映像分離部３０２は、多重化されたストリームデータから、所望の映像データを抽出する。デコーダ３０３は、映像データを表示可能な信号に復号する。合成部３０４は、映像信号及びグラフィックスを１つの表示用プレーンに統合する。表示部３０５は、表示用プレーンの映像をディスプレイに表示する。
映像再生アプリ実行部３０６は、映像再生を制御するアプリケーションを実行する部分である。
【００３５】
パケット通信部３０７は、図１のインターネット上にあるアプリケーションサーバ１４と、映像データの送受信を行う。送受信を行なうデータには、ＩＰ放送データ（インターネットで・プロトコル「ＩＰ」を使用して映像・音声信号を伝送する放送サービスのデータ）、ウィジェット（デスクトップ上で特定の機能を実行するための簡易的なアプリケーション）プログラムデータ、ウィジェットプログラム実行に必要な画像、音声、映像データ、アプリケーションサーバ１４への制御信号が含まれる。ウィジェット抽出部３０８は、パケット通信部３０７で受信したパケットから、ウィジェットプログラムを抽出する。ウィジェット実行部３０９は、ウィジェット抽出部３０８から受け取ったウィジェットプログラムを実行する。
【００３６】
グラフィックス作成部３１０は、映像再生アプリ実行部３０６もしくはウィジェット実行部３０９からの描画指示により、グラフィックス（コンピュータを用いて作成される画像）を作成する。映像再生制御部３１１は、ウィジェット実行部３０９からの動画再生指示により、動画再生に関連したモジュールを制御する。
ＩＰ放送映像抽出部３１２は、パケット通信部３０７で受信したパケットから、ＩＰ放送用ストリームデータを抽出する。切替部３１３は、ＩＰ放送抽出部３１２で抽出したＩＰ放送用のストリームデータを、映像分離部３０２へ送るか、またはｉ．ＬＩＮＫ３１８に送るかを切り替える部分である。
【００３７】
外部入出力管理部３１４は、ｉ．ＬＩＮＫ３１８及びＨＤＭＩ３１９の物理的な接続状況、外部機器の使用状況、外部機器のハードウェア情報を管理する。外部機器再生制御部３１５は、接続された外部機器での再生を制御する。外部モジュール起動停止部３１６は、接続された外部機器内のモジュールの起動停止を指示する。映像信号入力部３１７は、ＨＤＭＩ３１９を通じて復号装置１２から送信された映像信号を抽出し、合成部３０４へ送信する。
【００３８】
ｉ．ＬＩＮＫ３１８は、ＩＰ放送用ストリームデータの復号装置１２への転送と、復号装置１２のハードウェア情報の取得が行えるインタフェースの接続端末である。ＨＤＭＩ３１９は、復号装置１２のデコーダで復号された後の映像信号の受信と、復号装置１２のハードウェア情報の取得と、復号装置１２内のモジュールの起動停止指示情報の送信が行えるインタフェースの接続端末である。
【００３９】
次に、合成部３０４の詳細を説明する。図４は、合成部３０４の概略ブロック図である。
合成部３０４は、スケーラ４０１、映像再生アプリグラフィックス保存部４０２、ウィジェットグラフィックス保存部４０３、デコード映像信号保存部４０４、合成映像保存部４０５、映像取得箇所切替部４０６、外部映像信号保存部４０７を備える。
【００４０】
スケーラ４０１は、映像信号及びグラフィックスをウィジェット実行部３０６または映像再生アプリ実行部３０６が指定するサイズに拡大縮小する操作を行う。
映像再生アプリグラフィックス保存部４０２は、グラフィックス作成部３１０が作成した映像再生アプリ用のグラフィックスを格納する。ウィジェットグラフィックス保存部４０３は、グラフィックス作成部３１０が作成したウィジェット用グラフィックスを格納する。デコード映像信号保存部４０４は、デコーダ３０３で復号した映像信号を格納する。
【００４１】
合成映像保存部４０５は、表示用プレーンを備える。映像取得箇所切替部４０６は、ウィジェットが使用する映像の参照先を、デコード映像信号保存部４０４か、外部映像信号保存部４０７のいずれかに切り替える。外部映像信号保存部４０７は、映像信号入力部３１８から入力される映像信号を格納する。
【００４２】
図５は、復号装置１２のさらに詳細なブロック図である。復号装置１２としては、一例として、ハードディスクレコーダを転用する場合について説明をする。
図５の復号装置１２は、ｉ．ＬＩＮＫ５０１、ＨＤＭＩ５０２、映像データ入力部５０３、映像再生制御部５０４、機器情報保存部５０５、モジュール起動停止部５０６、映像信号出力部５０７、切替部５０８、レコーダアプリ実行部５０９、映像データ保存部（外部記憶装置であるハードディスク）５１０、映像分離部５１１、デコーダ５１２、映像信号変換部５１３、接続管理部５１４を備える。なお、映像データ保存部は、例えば、外部記憶装置であるハードディスクであって、磁気記憶媒体の映像データ抽出用の読取装置を備える。
【００４３】
ｉ．ＬＩＮＫ５０１は、ＩＰ放送用ストリームデータの映像再生装置１１からの受信と、復号装置１２のハードウェア情報の映像再生装置１１への提供が行えるインタフェースの接続端末である。ＨＤＭＩ５０２は、デコーダ５１２で復号された映像信号の映像再生装置１１への転送と、復号装置１２のハードウェア情報の映像再生装置１１への提供と、復号装置１２のモジュールの起動停止指示信号の、映像再生装置１１からの受信が行なえるインタフェースの接続端末である。
映像データ入力部５０３は、ｉ．ＬＩＮＫ５０１を通じて送信されたデータから、ＩＰ放送用のストリームデータを抽出し、切替部５０８へ送信する部分である。映像再生制御部５０４は、レコーダアプリ実行部５０９からの指示か、若しくは接続された映像再生装置１１からの動画再生指示により、動画再生に関連したモジュールを制御する。機器情報保存部５０５は、復号装置１２のハードウェア情報を保存する部分である。
【００４４】
モジュール起動停止部５０６は、ＩＰ放送用ストリームデータから映像データを分離し、映像データを復号し、映像再生装置に復号された映像信号を送信するために必要なモジュールの、起動停止、等を行う。映像信号出力部５０７は、映像信号変換部５１３から受信した映像信号を、ＨＤＭＩ５０２へ出力する。切替部５０８は、映像データ入力部５０３から受信したＩＰ放送用ストリームデータを映像データ保存部５１０へ送信するか、映像分離部５１１へ送信するかの切替を行う。
【００４５】
レコーダアプリ実行部５０９は、デコーダ５１２を制御するアプリケーションを制御する。映像データ保存部５１０は、放送用ストリームデータを保存する機能と、保存したストリームデータを抽出する機能を有する。映像分離部５１１は、多重化されたストリームデータから、復号する映像データを抽出する。デコーダ５１２は、映像データを表示可能な信号に復号する。映像信号変換部５１３は、復号された映像信号が映像再生装置１１で再生不可能である場合、再生可能な映像信号に変換する部分である。再生不可能であるとは、映像再生装置で表示できない解像度、フレームレートで変換されていることを示す。接続管理部５１４は、ｉ．ＬＩＮＫ５０１及びＨＤＭＩ５０２の物理的接続状態を管理する部分である。
【００４６】
なお、以上の説明では、デコーダ３０３で復号する前の映像データを復号装置１２へ転送したり、制御信号を送受したりするのに用いる接続手段として、ｉ．ＬＩＮＫ準拠の有線又は無線の転送路及び接続端子を用い、デコーダ５１２で復号した後の映像信号を復号装置１２から映像再生装置１１へ転送したり、制御信号を送受したりするのに用いる接続手段として、ＨＤＭＩ準拠の有線又は無線の転送路及び接続端子を用いた。しかし、必要に応じて、デコーダで復号する前の映像データ及び復号した後の映像信号を、映像再生装置及び復号装置間で転送したり、制御信号を送受したりするのに、単一のケーブルとか単一の無線周波数帯を共用することができる。
【００４７】
（放送による映像とＩＰ放送による映像との同時表示）
次に、図３、図５のブロック図により、放送による映像とＩＰ放送による映像を同時に表示部３０５のディスプレイに表示する処理の流れを説明する。
ユーザが例えばリモコン（図示せず）を操作するか、又はタイマー（図示せず）が動作することにより、映像分離部３０２は、映像再生装置１１のチューナ３０１で受信したストリームデータから、視聴したい番組の映像データを抽出し、デコーダ３０３で映像信号に復号し、合成部３０４で映像信号を表示用プレーンに転送し、表示部３０５で表示用プレーンの映像をディスプレイに出力することで、所望の映像信号の再生・表示が行われる。
【００４８】
また、現在ユーザが視聴中の番組に関する情報は、映像再生アプリ実行部３０６が受信したストリームデータから必要な情報を取り出し、グラフィックス作成部３１０を通じて、映像と同時に表示させることができる。上記の画面の表示例を図６（ａ）に記す。図６（ａ）は、チューナ３０１で受信した番組を画面の中央に表示し、同時に映像再生アプリ実行部３０６がストリームデータから、番組のチャンネル番号を判定し、「ＣＨ１」のように画面左上にグラフィックスによってユーザに分かり易く表示した例である。なお、図６（ａ）は、映像再生装置がチューナ３０１で受信した放送のみを表示している状態である。
【００４９】
次に、ユーザは、ＩＰ放送を同時に視聴するために、一例として、リモコン操作等によりウィジェットを起動する。
なお、ウィジェットは、図１のアプリケーションサーバ１４からダウンロード可能であり、予め、パケット通信部３０７よりデータを取得し、ウィジェット抽出部３０８でウィジェットプログラムを抽出し、ウィジェット実行部３０９で実行を待機している状態であるものとする。
【００５０】
ウィジェットが起動されると、ウィジェット実行部３０９は、ユーザへの操作を促す画像、ボタン、テキスト等のコンポーネントを作成するようグラフィックス作成部３１０に指示する。グラフィックス作成部３１０は、合成部３０４へ作成したコンポーネントを送信し、合成部３０４はウィジェットが指定したサイズ、領域に従ってこれらのコンポーネントを表示用プレーンに転送する。表示部３０５はコンポーネントが転送された表示用プレーンをディスプレイに出力することによって、ウィジェットのグラフィックスが同時に画面に表示される。上記の画面の表示例を図６（ｂ）に記す。図６（ｂ）は、図６（ａ）で表示した画面に加え、ウィジェットにより画像、ボタン、テキストを画面右側に追加表示した例である。
【００５１】
図７は、映像再生装置１１の状態遷移図である。映像再生装置１１の本体又はリモコンの電源ボタン（図示せず）をパワーオンすることにより、映像再生装置１１は、図７（ａ）の「番組再生＋ウィジェット非起動」の状態に遷移する。更に、上記したウィジェットの起動により、映像再生装置１１は、図７（ｂ）の「番組再生＋ウィジェット起動（動画非再生）」の状態に遷移する。
次に、ユーザが、画面右側の「動画」と記された、ウィジェットの動画再生ボタン（アイコン）を選択し、実行する。
【００５２】
図８は、ウィジェットの動画を同時再生する場合の処理の流れを示すフローチャートである。
ユーザがウィジェットの動画再生ボタンを選択した場合、ウィジェット実行部３０９は、映像再生制御部３１１に対し、再生するＩＰ放送が格納された図１のアプリケーションサーバ１４のＵＲＬを指定して、動画の再生を指示する。（Ｓ８０１）映像再生制御部３１１はデコーダ（内蔵デコーダ）３０３が復号可能であるかを確認する。(Ｓ８０２)デコーダ３０３が使用中等の理由により使用できない場合、映像再生制御部３１１は外部入出力管理部３１４から入出力リストを取得する。（Ｓ８０３）
【００５３】
図９は、入出力リストの例示である。図９（ａ）は入力リストであり、図９（ｂ）は出力リストである。図９（ａ）の入力リストにおいて、左側から、入力項目は複数の入力の名称を示し、使用項目は使用中か未使用かを示し、接続項目は接続中か未接続かを示し、ＩＤ項目は各外部機器固有の識別番号を示し、コーデックの項目はデコーダの仕様を示し、トリック再生の項目は外部機器のデコーダが再生可能な生成速度を示し、映像出力の項目は外部機器のデコーダが再生可能な生成速度を示し、画質向上の項目は画質を向上させる機能を示し、ｉ．ＬＩＮＫの項目はその系統数を示し、ＨＤＭＩの項目はその系統数を示す。図９（ｂ）の出力リストの記載も同様である。このように入出力リストは、外部機器である復号装置１２との物理的接続、使用状況、接続された外部機器のハードウェア情報を管理している。
【００５４】
図８に戻って、映像再生制御部３１１は、入力リストと出力リストから同じ機器（外部機器）固有のＩＤを検索し、更にデコーダの仕様に関する情報から、ＩＰ放送が再生できるかを判定する。（Ｓ８０４）入出力リストは定期的に作成されるか、又は当初の入出力リスト取得時に作成される。
【００５５】
図１０は、入出力リストの作成の際の処理の流れを示すフローチャートである。
先ず、使用中でない入出力に対して、外部入出力管理部３１４がｉ．ＬＩＮＫ３１８及びＨＤＭＩ３１９の物理的接続状況を確認し、入出力リストに登録する。（Ｓ１００１）次に、ＨＤＭＩ２１９の物理的接続が確認された入力に対し、外部モジュール起動停止部３１６を通じて、外部機器の機器情報保存部の起動を要求する。（Ｓ１００２）仮に、接続されている外部機器が図５の復号装置１２である場合は、外部モジュール起動停止部３１６は、ＨＤＭＩ３１９、ＨＤＭＩ５０２を通じて、モジュール起動停止部５０６に機器情報保存部５０５の起動を要求する。次に、外部機器１２のモジュール起動停止部５０６は、外部機器内の機器情報保存部５０５を起動する。（Ｓ１００３）
【００５６】
最後に、外部入出力管理部３１４は、ＨＤＭＩ３１９を通じて機器情報保存部５０５からハードウェア情報を取得し、入力リストに登録し、同時に、ｉ．ＬＩＮＫ３１８を通じて機器情報保存部５０５からハードウェア情報を取得し、出力リストに登録する。（Ｓ１００４）かくして、外部入出力管理部３１４は、入力リストと出力リストに登録されたハードウェア情報が同一であることから、ｉ．ＬＩＮＫとＨＤＭＩという２つの接続手段が同一の外部機器に接続されていることを確認することができる。
【００５７】
映像再生制御部３１１が外部機器による復号が可能であると判断し、その外部機器が図５の復号装置１２であるとする。この場合、先ず、映像再生制御部３１１は、外部モジュール起動停止部３１６に対して、復号に必要なモジュールの起動を要求する。次に、外部モジュール起動停止部３１６は、ＨＤＭＩ３１９、ＨＤＭＩ５０２を通じて、モジュール起動停止部５０６に対し、復号に必要なモジュールを要求する。最後に、モジュール起動停止部５０６は、復号に必要なモジュール、例えば、デコーダ５１２、等の全てを起動する。（Ｓ８０５）このように所望時にのみモジュールの起動を行うので省電力化が計られている。
【００５８】
また、復号に必要なモジュールの起動に際して、モジュール起動停止部５０６は、映像データ保存部５１０の停止を確保し、そのことにより復号装置１２の省電力化が二重に計られている。なお、モジュール起動停止部５０６からその制御対象に至る制御信号の経路を示す点線矢印は、図面を見易くするために省略してある。
【００５９】
図１１は、復号装置１２の状態遷移図を示す。
図１１（ａ）は、「モジュール非起動」の状態を示す。前述のように、復号に必要なモジュールが全て起動したため、復号装置１２の状態は、図１１（ａ）から図１１（ｂ）の状態に遷移したことになる。図１１（ｂ）は、「モジュール起動（映像非再生）」の状態を示す。
【００６０】
図８のフローチャートに戻って、図５の復号装置１２が復号可能な状態になったため、映像再生装置１１は、その合成部３０４に対し、ウィジェットによる映像の入力元を外部入力に切り替えるように切替指示を行う。（Ｓ８０６）なお、外部入力への切替指示とは、映像取得箇所切替部４０６（図４）によって、ウィジェット実行部が参照する映像信号の参照先をデコード映像信号保存部４０４から外部映像信号保存部４０７へ切り替えることである。また、映像信号の出力先を、接続されているＨＤＭＩ５０２に設定するように、映像信号出力部５０７に指示する。（Ｓ８０７）
【００６１】
外部入力への切替指示が完了した後、映像再生制御部３１１は、パケット通信部３０７を通じて、図１のアプリケーションサーバ１４へＩＰ放送用ストリームデータの配信を要求し、同時に切替部３１３に対し、ＩＰ放送用のストリームデータの出力先がｉ．ＬＩＮＫ３１８になるための指示と、外部機器再生制御部３１５に対して、外部機器でのストリームデータの再生指示を行う。
【００６２】
外部機器再生制御部３１５は、ｉ．ＬＩＮＫ３１８、ｉ．ＬＩＮＫ５０１を通じて、映像再生制御部５０４へストリーミングデータの再生指示を行う。映像再生制御部５０４は、切替部５０８に対して、ストリームデータの出力先を映像分離部５１１に切り替える指示を行い、また、映像分離部５１１に対して再生する映像の分離指示を行い、また、デコーダ５１２へ対して復号指示を行う。
【００６３】
映像再生装置１１からの配信要求に対して、図１のアプリケーションサーバ１４は、パケット通信部３０７にＩＰ放送用ストリームデータを含むデータを送信し、ＩＰ放送映像抽出部３１２はＩＰ放送用ストリームデータ部分のみを抽出し、このストリームデータは切替部３１３を通じてｉ．ＬＩＮＫ３１８へ送信される。ｉ．ＬＩＮＫ３１８へ送信されたＩＰ放送用ストリームデータは、ｉ．ＬＩＮＫ５０１へ送信され、映像データ入力部５０３、切替部５０８を通じて映像分離部５１１へ送信される。
【００６４】
映像分離部５１１は、ＩＰ放送用ストリームデータから復号する映像データを抽出し、デコーダ５１２へ送信する。デコーダ５１２は映像データを映像信号に復号し、映像信号変換部５１３によって、映像再生装置１２がこの外部入力を受け付けれる形式に変換する。この映像信号は、映像信号出力部５０７を通じてＨＤＭＩ５０２へ送信される。（Ｓ８０８）復号装置１２は、映像再生状態であるため、復号装置の状態は、図１１（ｂ）の状態から図１１（ｃ）の状態に遷移する。図１１（ｃ）の状態は、「モジュール起動（映像再生）」の状態である。
【００６５】
図８へ戻って、復号装置１２のＨＤＭＩ５０２へ送信された映像信号は、映像再生装置１１のＨＤＭＩ３１９へ送信され、映像信号入力部３１７を通じて合成部３０４へ入力される。合成部３０４では、外部入力の映像信号は外部映像信号保存部４０７（図４）に保存されている。ウィジェット実行部３０９は、映像再生制御部３１１による再生が完了した後、一定時間毎に、ウィジェットグラフィックス保存部４０３に格納された画像を合成映像保存部４０５に転送し、また、同時に外部映像信号保存部４０７に格納された映像を、合成映像保存部４０５に転送する。ウィジェット実行部３０９の指示により、画像もしくは映像に拡大・縮小処理を施すが必要であれば、スケーラ４０１にて拡大・縮小を行なう。
【００６６】
合成映像保存部４０５に格納された映像信号は、表示部３０５から参照され、そのディスプレイに表示される。（Ｓ８０９）このような手順により、チューナ３０１から受信した放送と、ウィジェットによるＩＰ放送の同時視聴が可能となる。
【００６７】
上記の画面の表示例を図６（ｃ）に記す。図６（ｃ）は、図６（ｂ）で表示した画面から、ウィジェットにより動画を表示する画面に切り替えた例である。動画は、画面の右下に表示される。なお、上記の状況での映像再生装置の状態は、図７（ｃ）である。図７（ｃ）の状態は、「番組再生＋ウィジェット起動（動画再生）」である。
【００６８】
なお、図８のステップＳ８０２で内蔵デコーダ３０３での再生が可能である場合は、映像再生制御部３１１は、パケット通信部３０７を通じて図１のアプリケーションサーバ１４へＩＰ放送用ストリームデータの配信を要求し、アプリケーションサーバ１４から送信されたＩＰ放送用ストリームデータをＩＰ放送映像抽出部３１２でＩＰ放送用ストリームデータを抽出し、切替部３１３で映像データの出力先を映像分離部３０２に切り替え、映像分離部３０２で復号したい所望の映像を抽出し、デコーダ３０３で復号し、合成部３０４で現在の表示プレーンにＩＰ放送の信号を合成し、表示部３０５によってディスプレイに表示する。（Ｓ８１０）
【００６９】
また、ステップＳ８０４で再生できる外部機器が見つからない場合は、映像再生制御部３１１はウィジェット実行部３０９に対し、再生不可であることを通知する。（Ｓ８１１）
【００７０】
以上記載したようにして、図３の映像再生装置１１及び図５の復号装置１２により、チューナ３０１から受信した放送と、ウィジェットによるＩＰ放送の同時視聴が可能となる。
【００７１】
（映像再生装置の変形例）
ウィジェットが再生する動画は、ＩＰ放送以外にもＶＯＤとか、チューナから受信する放送とか、動画ファイルとかを用いることができ、斯かる場合、モジュールを一部変更することによって、これらの動画の同時視聴が可能となる。なお、ＶＯＤとは、視聴者が観たいときに様々な映像コンテンツを視聴することができるサービスであって、ＩＰ放送とは相異して、映像の一時停止・巻戻し・早送りなどの操作が可能である。
【００７２】
〈ＶＯＤの場合〉
図１２は、チューナ１２０１から受信した放送と、パケット通信部１２０７から受信したＶＯＤ用ストリームデータを同時に再生する映像再生装置１１ａのブロック図である。
映像再生装置１１ａは、チューナ１２０１、映像分離部１２０２、デコーダ１２０３、合成部１２０４、表示部１２０５、映像再生アプリ実行部１２０６、パケット通信部１２０７、ウィジェット抽出部１２０８、ウィジェット実行部１２０９、グラフィックス作成部１２１０、映像再生制御部１２１１、ＶＯＤ映像抽出部１２１２、切替部１２１３、外部入出力管理部１２１４、再生情報保存部１２１５、外部機器再生制御部１２１６、外部モジュール起動停止部１２１７、映像信号入力部１２１８、ｉ．ＬＩＮＫ１２１９、ＨＤＭＩ１２２０を備える。
【００７３】
図３の映像再生装置１１と図１２の映像再生装置１１ａとの相違は、前者のＩＰ放送映像抽出部３１２が後者ではＶＯＤ映像抽出部１２１２に変更される点、及び再生情報保存部１２１５が追加される点である。その他の点では、両者の構成は同様である。
ＶＯＤ映像抽出部１２１２は、パケット通信部１２０７で受信したパケットから、ＶＯＤ用のストリームデータを抽出する部分である。再生情報保存部１２１５は、外部の復号装置による復号を中止する場合に、再生に必要な情報を保存する部分である。再生情報保存部１２１５に保存した情報は、外部の復号装置による復号を中止した時点から、後ほど再生するために、使用される。ＶＯＤ映像抽出部１２１２は、図３の映像再生装置１１のＩＰ放送映像抽出部３１２の機能と同一であること、再生情報保存部１２１５は、動画の同時再生には用いられないことにより、チューナ１２０１から受信した放送とパケット通信部１２０７から受信したＶＯＤストリームデータとを同時に再生することは、図３のＩＰ放送で使用した方法と同様な方法で実現することができる。
【００７４】
〈チューナの場合〉
図１３は、チューナ１３０１から受信した放送と、チューナ１３１２から受信した放送を同時に再生する映像再生装置１１ｂのブロック図である。
【００７５】
映像再生装置１１ｂは、チューナ１３０１、映像分離部１３０２、デコーダ１３０３、合成部１３０４、表示部１３０５、映像再生アプリ実行部１３０６、パケット通信部１３０７、ウィジェット抽出部１３０８、ウィジェット実行部１３０９、グラフィックス作成部１３１０、映像再生制御部１３１１、チューナ１３１２、切替部１３１３、外部入出力管理部１３１４、外部機器再生制御部１３１５、外部モジュール起動停止部１３１６、映像信号入力部１３１７、ｉ．ＬＩＮＫ１３１８、ＨＤＭＩ１３１９を備える。
図３の映像再生装置１１と図１３の映像再生装置１１ｂとの相違は、後者では、チューナ１１１２が追加される点、及び後者では、前者のＩＰ放送映像抽出部２１２が欠如している点である。
【００７６】
図１３のチューナ１３１２は、放送搬送波を受信する部分である。
ウィジェット内部で放送を表示するために、図３の映像再生装置１１のパケット通信部３０７及びＩＰ放送映像抽出部３１２を、図１３では、チューナ１３１２へ変更したため、ＩＰ放送で実現した方法と同様な方法で、チューナ１３０１から受信した放送と、ウィジェットによってチューナ１３１２から受信した放送（ウィジェット内部に表示される。）とが同時に再生可能となる。
【００７７】
〈動画ファイルの場合〉
図１４は、チューナ１４０１から受信した放送と、パケット通信部１４０２で受信し、保存した動画ファイルを同時に再生する映像再生装置１１ｃのブロック図である。
映像再生装置１１ｃは、チューナ１４０１、映像分離部１４０２、デコーダ１４０３、合成部１４０４、表示部１４０５、映像再生アプリ実行部１４０６、パケット通信部１４０７、ウィジェット抽出部１４０８、ウィジェット実行部１４０９、グラフィックス作成部１４１０、映像再生制御部１４１１、動画ファイル保存１４１５、動画フォーマット変換部１４１３、切替部１４１４、外部入出力管理部１４１５、再生情報保存部１４１６、外部機器再生制御部１４１７、外部モジュール起動停止部１４１８、映像信号入力部１４１９、ｉ．ＬＩＮＫ１４２０、ＨＤＭＩ１４２１を備える。
【００７８】
図３の映像再生装置１１と図１４の映像再生装置１１ｃとの相違は、前者のＩＰ放送抽出部３１２が、後者では、動画ファイル保存部１４１２及び動画フォーマット変換部１４１３に変更され、その他に再生情報保存部１４１６が付加されている点である。
【００７９】
図１４の動画ファイル保存部１４１２は、図１のアプリケーションサーバ１４からダウンロードした動画ファイルを保存する部分である。動画フォーマット変換部１４１３は、アプリケーションサーバ１４からダウンロードした動画ファイルが、ｉ．ＬＩＮＫ１４２０を通じて外部に送信できない形式であれば、ｉ．ＬＩＮＫ１４２０を通じて外部機器に送信できる形式に変換する部分である。
【００８０】
これにより、図３の映像再生装置１１においてＩＰ放送で実現した方法と同様な方法で、チューナ１４０１から受信した放送と、予めパケット通信部１４０２からダウンロードし、動画ファイル保存部１４１２に保存してある、例えば、ウィジェットの動画ファイルの同時再生が可能となる。
【００８１】
（ユーザによる放送による映像とウィジェットによる映像の同時再生の終了）
次に、放送による映像とウィジェットによる映像の同時再生中に、ユーザのリモコン操作による指示等によって、ウィジェットによる動画再生の終了を行う方法を説明する。
図１５は、動画再生を終了する際の処理の流れを示すフローチャートである。
【００８２】
リモコン等によってユーザが同時再生を終了する指示を、図３の映像再生装置１１のウィジェット実行部３０９へ送った場合、ウィジェット実行部３０９は、映像再生制御部３１１に対してウィジェットの動画再生の停止を指示する。（Ｓ１５０１）なお、図示しないリモコンによる赤外線に乗せた指示信号を、映像再生装置１１の図示しない受光部が検出して記憶部に記憶し、ウィジェット実行部３０９は、この記憶部に定期的にアクセスすることによって指示信号の検出を行う。映像再生制御部３１１は、外部の復号装置１２によってウィジェットによる動画再生を実行しているため、外部機器再生制御部３１５に対し、動画再生の停止を指示する。（Ｓ１５０２）外部機器再生制御部３１５は、ｉ．ＬＩＮＫ３１８、ｉ．ＬＩＮＫ５０１を通じ、復号装置１２の映像再生制御部５０４に対して、動画の再生の停止を指示する。（Ｓ１５０３）
【００８３】
映像再生制御部５０４は、デコーダ５１２（復号装置１２すなわち外部機器のデコーダ）に対し、ウィジェットによる動画再生の復号の停止を指示する。（Ｓ１５０４）これにより、図１１の状態遷移図において、復号装置１２は、図１１（ｃ）の状態から図１１（ｂ）の「モジュール起動（映像非再生）」の状態に遷移したことになる。
再生した動画が、ＶＯＤやダウンロードしたファイルであれば、停止した後再度再生する場合には、停止した時刻から再生することが可能となるため、途中再生できる動画か否かを映像再生制御部３１１が判断する。（Ｓ１５０５）途中再生可能であれば、再生情報保存部（図１２のＶＯＤの場合であれば、再生情報保存部１２１５、図１４のダウンロードした動画ファイルの場合であれば再生情報保存部１４１６）に再生時刻等の再生情報を保存する。（Ｓ１５０６）
【００８４】
図１６は、上述の再生情報保存部に保存するデータの例である。停止した時刻に再生する場合は、図１６（ａ）に示すように、停止時刻のみを格納する。また、再度再生する際に、映像データの参照先や再生レートなどの情報が必要な場合は、図１６（ｂ）に示すように、停止時刻に加えてこれらのデータも保存する。
図１５に戻って、映像再生装置１１（図３）の外部モジュール起動停止部３１６は、外部機器（復号装置１２）のモジュールの停止を指示する。（Ｓ１５０７）これにより、外部モジュール起動停止部３１６は、ＨＤＭＩ３１９、ＨＤＭＩ５０２を通じ、復号装置１２のモジュール起動停止部５０６に対して、モジュールの停止を指示する。（Ｓ１５０８）モジュール起動停止部５０６は、復号に必要なモジュールを停止する。（Ｓ１５０９）このことにより、復号装置１２の状態は、図１１の状態（ｂ）から状態（ａ）に示す外部の復号装置を使用する以前の「モジュール非起動」の状態に戻る。
【００８５】
映像再生装置１１に関しては、使用していた外部の復号装置１２を使用しなくなったため、外部入出力管理部３１４で管理する図９の入出力管理リストの該当する入出力を、未使用状態に変更する。（Ｓ１５１０）これにより、映像再生装置１１は、図７（ｃ）の状態から図７（ｂ）の「番組再生＋ウィジェット起動（動画非再生）」の状態に遷移したことになる。
【００８６】
（ケーブルによる接続が確立できなくなった場合の終了）
ケーブルが抜かれたことなどにより、映像データ、映像信号、制御信号の送受信ができなくなった場合には、映像再生装置及び復号装置はウィジェットによる動画を再生する前の状態に戻る必要がある。
【００８７】
図１７（ａ）は、ケーブルが非接続状態になった場合の、映像再生装置１１の処理の流れを示すフローチャートである。
外部入出力管理部３１４は、定期的に、ｉ．ＬＩＮＫ３１８及びＨＤＭＩ３１９のケーブル接続状態を検出する。この接続状態の検出方法は、公知の方法を採用することができる。したがって、ケーブルの切断を検出した場合、映像再生制御部３１１には非接続状態が通知され、それによって映像再生制御部３１１は、切断したケーブルに該当する入出力のケーブル接続状態を未接続状態にする。（Ｓ１７０１）外部入出力管理部３１４は、映像再生アプリ実行部３０６及びウィジェット実行部３０９に非接続状態を表すイベントを発行する。（Ｓ１７０２）これにより、映像再生アプリ実行部３０６、又はウィジェット実行部３０９からケーブルが切断されたことをユーザに示すダイアログが表示部３０５の画面に表示される。
【００８８】
再生した動画が、ＶＯＤやダウンロードしたファイルであれば、接続の回復後、再度再生することができるため、途中再生できる動画か否かを映像再生制御部が判断する。（Ｓ１７０３）途中再生可能であれば、再生情報保存部（ＶＯＤであれば再生情報保存部１２１５、ダウンロードした動画ファイルであれば再生情報保存部１４１６）に再生時刻等の再生情報を保存する。（Ｓ１７０４）最後に、外部入出力管理部３１４は外部での復号に使用していた入出力の使用状態を未使用状態に変更する。（Ｓ１７０５）
【００８９】
以上説明をしたようにして、映像再生装置１１は、外部の復号装置１２による復号を行なう前の状態に遷移することが可能となる。
図１７（ｂ）は、ケーブルが非接続状態になった場合の、復号装置１２の処理の流れを示すフローチャートである。
【００９０】
接続管理部５１４は、定期的に、ｉ．ＬＩＮＫ５０１及びＨＤＭＩ５０２の接続状態を検出する。この接続状態の検出方法は、公知の方法を採用することができる。したがって、ケーブルの切断を検出した場合、モジュール起動停止部３０６には非接続状態が通知される。（Ｓ１７０６）モジュール起動停止部５０６は、復号に必要なモジュールの停止を実行する。（Ｓ１７０７）このような実装により、復号装置１２も元の状態に遷移することが可能である。
【００９１】
(ケーブル切断時に別の復号装置で復号する場合)
ケーブルが抜かれたことなどにより、ウィジェット内のビデオの表示に必要な、映像再生装置と復号装置との間の映像データ、映像信号、制御信号の、少なくとも送信あるいは受信の一方ができなくなった場合であっても、映像再生装置に接続された別の復号装置（外部機器）を使用して、引き続き表示を継続することができる。このことにより頑強度（ロバスト）の高いシステムを得ることができる。
【００９２】
図１８は、その場合の処理の流れを示すフローチャートである。以下フローチャートに沿って説明する。
ｉ．ＬＩＮＫケーブルまたはＨＤＭＩケーブルが切断された場合、先ず、映像再生装置１１の外部入出力管理部３１４は、非接続状態を検知して、外部入出力管理部３１４の入力リストおよび出力リストを更新する（Ｓ１８０１）。
【００９３】
再生した動画が、ＶＯＤやダウンロードしたファイルであれば、停止した後、再度再生した場合には、停止した時刻から再生することが可能となるため、途中再生できる動画か否かを映像再生制御部３１１が判断し（Ｓ１８０２）、途中再生可能であれば、再生情報保存部（ＶＯＤであれば図１２の再生情報保存部１２１５、ダウンロードした動画ファイルであれば図１４の再生情報保存部１４１６）に再生時刻等の再生情報を保存する（Ｓ１８０３）。次に、外部入出力管理部３１４から、入力リストおよび出力リストを取得する（Ｓ１８０４）。
【００９４】
次に、入力リストおよび出力リストを参照して、使用可能な復号装置を検索し（Ｓ１８０５）、使用可能な復号装置が別にあれば、外部モジュール起動停止部３１６を通じて、その復号装置の復号に必要なモジュールを起動する（Ｓ１８０６）。次に、途中再生可能かどうかを判断し（Ｓ１８０７）、途中再生可能であれば、再生情報保存部１２１５又は再生情報保存部１４１６からステップＳ１８０３で保存した再生時刻を取得し（Ｓ１８０８）、その時刻から再生を再開し（Ｓ１８０９）、途中再生ができなければ映像データの先頭から再生する（Ｓ１８１１）。使用可能な復号機器がなければ、ウィジェット実行部３０９に再生不可であることを通知する（Ｓ１８１０）。
【００９５】
（停止した動画の再度の再生）
ユーザが停止した動画に対して再度の再生を行う場合、あるいはケーブルの切断により再生不能となった動画に対して接続を回復して再度の再生を行う場合、再生した動画が、ＶＯＤやダウンロードした動画ファイルであれば、停止した地点から再生することができる。
【００９６】
図１９は、停止した動画を再度再生する場合の処理の流れを示すフローチャートである。
先ず、映像再生制御部３１１は、動画の再生に必要な外部の復号装置の検索を行い、外部モジュール起動停止部３１６は、モジュールの起動を行う。（Ｓ１９０１）詳細は、図８のステップＳ８０１からステップＳ８０７までの手順と同様である。
【００９７】
次に、映像再生制御部３１１は、途中再生可能な動画の再生であるかを判断する。（Ｓ１９０２）可能であれば、再生状態保存部（ＶＯＤであれば図１２の再生情報保存部１２１５、ダウンロードした動画ファイルであれば図１４の再生情報保存部１４１６）から再生時刻を取得する。（Ｓ１９０３）途中再生不可能であれば、映像データの先頭から再生する。（Ｓ１９０７）
【００９８】
次に、ＶＯＤのような途中からのストリームデータの送信を要求する必要がある映像であれば、（Ｓ１９０４）、映像再生制御部１２１１は、パケット通信部１２０７を通じて図１のアプリケーションサーバ１４に対し、再生情報保存部１２１５から取得した再生情報で再度ストリームデータを送信するよう要求する。（Ｓ１９０５）
一方、ダウンロードした動画ファイルのようにファイル内のデータの読み取り地点を変えることで途中再生可能であれば、再生時刻のデータ地点から、デコーダへ送信して途中再生を実現する。（Ｓ１９０６）
【００９９】
（再生時刻の検出方法）
ウィジェットの構成によっては、再生時刻を検出し、検出した時刻をトリガとして別の処理を実行する場合がある。あるいは、再生時刻によって、動画の終端を検出する場合もある。したがって、外部の復号装置１２で復号している場合、デコーダ５１２で復号している映像の再生時刻を映像再生装置１１のウィジェット実行部３０９へ通知する必要がある。
【０１００】
図２０は、外部の復号装置１２でのデコーダ５１２で復号した映像の再生時刻をウィジェット実行部３０９へ通知する際のフローチャート図である。
先ず、デコーダ５１２が復号している映像データの再生時刻は、映像再生制御部５０４へ通知される。（Ｓ２００１）次に、映像再生制御部５０４は、ｉ．ＬＩＮＫ５０１、ｉ．ＬＩＮＫ３１８を通じて、映像再生装置１１の外部機器再生制御部３１５へ、再生時刻を通知する。（Ｓ２００２）次に、外部機器再生制御部３１５は、映像再生制御部３１１へ再生時刻を通知する（Ｓ２００３）。最後に、映像再生制御部３１１は、再生時刻をウィジェット実行部３０９に再生時刻を通知する。（Ｓ２００４）このような手順により、ウィジェット実行部３０９は、再生時刻を検出することができる。
【０１０１】
（トリック再生方法）
ＶＯＤやダウンロードした動画ファイルであれば、早送り等の再生レートを変更する再生（トリック再生）を行うことができる。
【０１０２】
図２１（ａ）は、ＶＯＤのトリック再生の処理の流れを示すフローチャートである。
ウィジェット実行部１２０９からトリック再生が指示された場合、図１２のウィジェット実行部１２０９は、映像再生制御部１２１１に対して、トリック再生を指示する。（Ｓ２１０１）映像再生制御部１２１１は、パケット通信部１２０７を通じて図１のアプリケーションサーバ１４にトリック再生用データの送信を要求する。（Ｓ２１０２）このような手順により、ＶＯＤでのトリック再生が実現する。
【０１０３】
次に、ダウンロードした動画ファイルのトリック再生方法を説明する。
図２１（ｂ）は、ダウンロードした動画ファイルのトリック再生の処理の流れを示すローチャートである。
トリック再生が指示された場合、ウィジェット実行部１４０９は映像再生制御部１４１１に対して、トリック再生を指示する。（Ｓ２１０３）映像再生制御部１４１１は、指定されたトリック再生が実施できるかを確認するために、外部入出力管理部１４１５に対して、接続した復号装置（外部機器）で実行できるトリック再生情報を取得する。（Ｓ２１０４）映像再生装置１１ｃは、外部入出力管理部１４１５から取得したトリック再生情報から、ウィジェット実行部１４０９が指定したトリック再生を行うことが可能か否かを判断する。（Ｓ２１０５）
【０１０４】
ただし、トリック再生が不可能であると判断する方法は、映像再生制御部１４１１の実装に依存する。例えば、ウィジェット実行部１４０９から３倍の早送り再生が指定されたとして、そのときは３倍の早送り再生が実施できないとしても、なお詳細には、３倍の早送り再生ができないと判断する場合と、近傍の２倍の早送りに置き換えて再生可能と判断する場合とがある。
【０１０５】
トリック再生が可能であれば、映像再生制御部１４１１は、外部機器再生制御部１４１７へトリック再生を指示し、(Ｓ２１０６)、外部機器再生制御部１４１７は、ｉ．ＬＩＮＫ１４２０、ｉ．ＬＩＮＫ５０１を通じて、復号装置１２の映像再生制御部５０４へトリック再生を通知し、（Ｓ２１０７）映像再生制御部５０４はデコーダ５１２へトリック再生を指示する。(Ｓ２１０８)トリック再生が不可能であれば、映像再生制御部１４１１は、ウィジェット実行部１４０９に対し、トリック再生不可であることを通知する（Ｓ２１０９）このような手順により、ダウンロードした動画ファイルのトリック再生が実行可能となる。
【０１０６】
（復号装置の変形例）
図５の復号装置１２（外部機器）においては、それがハードディスクを外部記憶装置とするハードディスクレコーダであったが、外部機器としてはこれに限定されない。
図２２は、ＣＡＴＶチューナを外部機器（復号装置）１２ａとした場合の概略ブロック図である。
【０１０７】
図２２の外部機器１２ａは、ｉ．ＬＩＮＫ２２０１、ＨＤＭＩ２２０２、映像データ入力部２２０３、映像再生制御部２２０４、機器情報保存部２２０５、モジュール起動停止部２２０６、映像信号出力部２２０７、切替部２２０８、ＣＡＴＶアプリ実行部２２０９、チューナ２２１０、映像分離部２２１１、デコーダ２２１２、映像信号変換部２２１３、接続管理部２２１４を備える。
【０１０８】
図５の復号部１２と図２２の外部機器１２ａの相違は、前者の映像データ保存部５１０を後者ではチューナ２２１０に変更した点、及び前者でのレコーダアプリ実行部５０９を後者ではＣＡＴＶアプリ実行部２２０９に変更した点である。
ｉ．ＬＩＮＫ２２０１から送信された映像データの再生時は、切替部２２０８によって、チューナ２２１０から映像データを受け付けないようにしているために、図２２のＣＡＴＶチューナを用いた場合においても、図３のチューナ３０１で受信した放送と、パケット通信部３０７から受信したＩＰ放送を同時に再生することが可能となる。
【０１０９】
図２３は、ＩＰ ＳＴＢ（セットトップボックス）を外部機器１２ｂとした場合の概略ブロック図である。
図２３の外部機器１２ｂは、ｉ．ＬＩＮＫ２３０１、ＨＤＭＩ２３０２、映像データ入力部２３０３、映像再生制御部２３０４、機器情報保存部２３０５、モジュール起動停止部２３０６、映像信号出力部２３０７、切替部２３０８、ＳＴＢアプリ実行部２３０９、パケット通信部２３１０、映像分離部２３１１、デコーダ２３１２、映像信号変換部２３１３、接続管理部２３１４を備える。
【０１１０】
図５の復号部１２と図２３の外部機器１２ｂの相違は、前者の映像データ保存部５１０を後者ではパケット通信部２３１０に変更した点、及び前者でのレコーダアプリ実行部５０９を後者ではＳＴＢアプリ実行部２３０９に変更した点である。
ｉ．ＬＩＮＫ２３０１から送信された映像データの再生時は、切替部２３０８によって、パケット通信部２３１０から映像データを受け付けないようにしているために、図２３のＳＴＢにおいても、図３のチューナ３０１で受信した放送と、パケット通信部３０７から受信したＩＰ放送を同時に再生することが可能となる。
【０１１１】
図２４は、ＤＶＤ（データ記憶媒体）プレーヤーもしくはブルーレイディスク（ＢＤ）プレーヤー１５１１を外部機器１２ｃとした場合の概略ブロック図である。
図２４の外部機器１２ｃは、ｉ．ＬＩＮＫ２４０１、ＨＤＭＩ２４０２、映像データ入力部２４０３、映像再生制御部２４０４、機器情報保存部２４０５、モジュール起動停止部２４０６、映像信号出力部２４０７、切替部２４０８、ＤＶＤ（ＢＤ）アプリ実行部２４０９、映像データ抽出部２４１０、ＤＶＤ（ＢＤ）プレーヤー２４１１、映像分離部２４１２、デコーダ２４１３、映像信号変換部２４１４、接続管理部２４１４、映像信号変換部２４１５を備える。
【０１１２】
図５の復号部１２と図２４の外部機器１２ｃの相違は、前者の映像データ保存部５１０を後者ではＤＶＤ（ＢＤ）２４１１に変更した点である。（後者では映像データ抽出部２４１０を付加したが、前者の映像データ保存部５１０は後者の映像データ抽出部２４１０と同一の機能をも有するため、両者にはこの点の機能の相異はない。）
【０１１３】
ｉ．ＬＩＮＫ２４０１から送信された映像データの再生時は、切替部２４０８によって、映像データ抽出部２４１０及びＤＶＤ（ＢＤ）プレーヤー２４１１から映像データを受け付けないようにするため、図２４の外部機器１２ｃにおいても、図３のチューナ３０１で受信した放送と、パケット通信部３０７から受信したＩＰ放送を同時に再生することが可能となる。
【０１１４】
(入出力切替)
本発明の映像表示装置は、一般のテレビ受信機と同様、図示しないリモコン等のユーザ入力部を通じて、外部入力の切り換えが可能である。
図２５及び図２６は、図７（ｃ）の「番組再生＋ウィジェット起動（動画再生）」状態で、なおかつ映像データの復号を、例えば、図５の復号装置１２で行っていた場合に、ユーザが映像再生装置の外部入力を切り換える際の処理に関する説明図である。
図２５は、ユーザが映像再生装置の外部入力を切り換える際の、本実施形態における映像再生装置１１の画面表示例である。本例では、放送波を通じて受信したテレビ番組と、ウィジェットを同時表示し、さらにウィジェット内の動画は、例えば、図５の復号装置１２のデコーダ５１２で復号したものを、図６（ａ）の入力リストに示すHDMI1から入力しているものとする。
【０１１５】
図２５（ａ）は、図示しないユーザ入力部に備えられた入力切替ボタンをユーザが押下した直後の画面例である。この画面では、「テレビ」、「入力１（ＨＤＭＩ１）」、「入力２（ＨＤＭＩ２）」、「入力３（アナログ）」を選択可能なメニューを表示している。現在テレビ番組を視聴中、すなわちテレビが選択されていることを示すため、メニュー中の「テレビ」の項目に特別な印「→」を付与している。
【０１１６】
図２５（ｂ）は、図２５（ａ）の状態から、前記メニューの選択項目をユーザが下に移動させ、「入力１（ＨＤＭＩ１）」を選択しようとした場合の画面表示例である。通常、この項目を選択した場合、現在表示しているテレビ番組に代えて入力１（ＨＤＭＩ１）からの入力に表示を切り換えるが、ここで説明する条件では入力１（ＨＤＭＩ１）はウィジェット内の動画を表示することに使用されているため、そのまま表示するとユーザを混乱させるおそれがある。そのため、図２５（ｂ）のように「入力１は使用中です。」といった警告を画面に表示し、ユーザに選択させないようにしている。
【０１１７】
図２６は、図２５で示した、現在ウィジェット内の動画を表示するために使用している入力をユーザに選択させないようにする処理の流れを示すフローチャートである。
ユーザから入力切替指示があると、先ず、図３の外部入出力管理部３１４から入力リストを取得する（Ｓ２６０１）。次に入力リストの「使用」項目をチェックし、現在使用中の入力を特定し、入力１（ＨＤＭＩ１）に対応するＧＵＩコンポーネントを「選択不可」属性に設定した上で、メニューＧＵＩを構成し（Ｓ２６０２）、メニューＧＵＩを表示するようグラフィックス作成部２１０に指示する（Ｓ２６０３）。このようにユーザに現在ウィジェット内の動画を表示するために使用している入力をユーザに選択させないようにすることで、ユーザを混乱させることなく入力切替を行うことができる。
【０１１８】
なお、本実施形態では、ウィジェット内の動画を表示するのに使用している入力１（ＨＤＭＩ１）を入力切替でユーザが選択できるようにしているが、そもそも選択させないようにしてもよい。例えば、入力１（ＨＤＭＩ１）をメニュー中に表示させない、あるいは入力１（ＨＤＭＩ１）を選択しようとすると、選択項目が入力２（ＨＤＭＩ２）に強制的に移動させるようにしてもよい。
【０１１９】
(外部の復号装置がデコーダを使用する場合)
図２７は、図５の復号装置１２がハードディスク・レコーダであった場合とか、図２４のＤＶＤレコーダ（ＢＤレコーダ）であった場合に、自分自身のデコーダを自分自身のレコーダアプリで使用する場合の処理の流れを説明するフローチャートである。
レコーダの図示しないユーザ入力部から図５の映像データ保存部５１０に格納された映像データを再生するように、ユーザから指示があった場合、レコーダアプリ実行部５０９は、その指示に基づき、映像再生制御部５０４に再生を指示する（Ｓ２７０１）。映像再生制御部５０４は、ｉ．ＬＩＮＫを通じて、映像再生装置１１のウィジェット実行部３０９に対して、映像データ保存部５１０のレコーダがデコーダ５１２を使用することを通知する（Ｓ２７０２）。
【０１２０】
ウィジェット実行部３０９は、グラフィックス作成部３１０を通じて、「レコーダによる再生を許可しますか？」等、ユーザに確認するダイアログ表示を行う（Ｓ２７０３）。ユーザが許可するかどうかを確認し（Ｓ２７０４）、ユーザが許可した場合、ウィジェット実行部３０９は映像再生制御部３１１を通じて再生停止処理を実行し（Ｓ２７０５）、映像再生制御部５０４は、レコーダアプリ実行部５０９からの再生命令を実行する（Ｓ２７０６）．
【０１２１】
ユーザが許可しなかった場合は、ウィジェット実行部３０９は、ｉ．ＬＩＮＫ３１８、ｉ．ＬＩＮＫ５０１を通じて、映像再生制御部５０４にデコーダ５１２を開放しないことを通知し（Ｓ２７０７）、映像再生制御部５０４は、レコーダアプリ実行部５０９に対し、ユーザから指示のあった映像データ保存部５１０に格納された映像データの再生ができないことを通知する。
以上の処理により、限られたデコーダ資源で、ユーザの意向を反映した最適なデコーダの割り当てが可能となる。
【０１２２】
(映像再生装置でのデコーダの復号より外部機器でのデコーダの復号を優先する場合)
映像再生装置でのデコーダの復号を敢えて行わず、復号装置でのデコーダの復号を行うことにより、復号装置でのデコーダの性能を生かした映像データの復号を行うことが可能である。図２８は、図８で説明した動画再生ボタンをユーザが選択した場合の処理の変形例であり、一例として、映像再生装置と復号装置との間のデコーダ性能の違いに基づき、より高画質な映像をユーザに提供することを可能とする処理の流れを説明するフローチャートを示す。
【０１２３】
ユーザがウィジェットの動画再生ボタンを選択した場合、ウィジェット実行部３０９は、映像再生制御部３１１に対し、再生するＩＰ放送が格納された図１のアプリケーションサーバ１４のＵＲＬを指定して、動画の再生を指示する（Ｓ２８０１）。映像再生制御部３１１は、デコーダ３０３が使用可能であるか否かを確認する(Ｓ２８０２)。デコーダ３０３が使用可の場合、映像再生制御部３１１は、外部入出力管理部３１４から出力リストを取得する（Ｓ２８０８）。取得した出力リストと内蔵デコーダ３０３の仕様を比較し（Ｓ２８０９）、映像再生装置１１と復号装置１２のいずれでデコードした方が画質がよいかを判断する（Ｓ２８１０）。
【０１２４】
復号装置１２のデコーダ５１２で復号した方が画質がよいと判断した場合は、復号装置１２に対するＩＰ放送ストリームデータの出力、及び復号装置１２での再生指示を行う（Ｓ２８１１）。そうでない場合は、ＩＰ放送用ストリームデータを内蔵デコーダ３０３へ出力し、再生するように指示する（Ｓ２８１２）。
もし、内蔵デコーダ３０３が使用できない場合はステップＳ２８０３からステップＳ２８０６までの処理を行う。これらの処理は図８のステップＳ８０５からステップＳ８０８と同一の処理であるため、説明は省略する。上記処理の後に、映像信号保存部４０７（図４）の映像信号は、表示部３０５から参照され、そのディスプレイに表示される。（Ｓ２８０７）
【０１２５】
なお、本実施形態ではＩＰ放送ストリームのみを対象としているが、テレビ放送ストリームにおいても同様に実現可能であることは言うまでもない。
本発明の構成を採ることで、一般的に外部機器に比べ買い替えサイクルの長いと言われているテレビにおいて、テレビを買い替えることなく画質向上を実現することが可能となる。
【０１２６】
＜第2の実施形態＞
（外部の復号装置に表示部がある場合）
図３の映像再生装置１１では表示部３０５を備えているが、外部の復号装置に表示部を備えた場合も同様に、放送による映像とＩＰ放送による映像を同時に表示することが可能である。本実施形態は、ＩＰ ＳＴＢをテレビ受像機に接続し、テレビ受像機は常時外部入力を通じてＩＰ ＳＴＢの出力を表示している場合に、テレビ受像機の使用されていないデコーダを活用することを目的としている。
【０１２７】
図２９は、映像再生装置１２ｄと、表示部を備えた復号装置１２ｄとが相互接続された場合のブロック図である。
映像再生装置１１ｄは、受信部２９０１、デコーダ２９０２、受信部２９０３、切替部２９０４、外部モジュール起動停止部２９０５、インタフェース２９０６を備える。
受信部２９０１及び受信部２９０３は、インターネットや放送波から映像データを受信する。デコーダ２９０２は、映像データを表示可能な信号に復号する。切替部２９０４は、受信部２９０３で受信した映像データをデコーダ２９０２へ送るか、インタフェース２９０６に送るかを切り替える。外部モジュール起動停止部２９０５は、インタフェース２９０６で接続された機器内のモジュールの起動停止を制御する。インタフェース２９０６は、映像データの送信、復号した映像信号の受信、制御信号の送受信を行う。
【０１２８】
復号装置１２ｄは、モジュール起動停止部２９０７、インタフェース２９０８、デコーダ２９０９、合成部２９１０、表示部２９１１を備える。
モジュール起動停止部２９０７は、復号装置内のモジュールの起動停止を行う。インタフェース２９０８は、映像データの受信、復号した映像信号の送信、制御信号の送受信を行う。デコーダ２９０９は、映像データを表示可能な信号に復号する。合成部２９１０は、複数の映像信号を１つの表示用プレーンに統合する。表示部２９１１は、表示用プレーンの映像をそのディスプレイに出力して表示する。
【０１２９】
図３０は、映像再生装置１１ｄのより詳細なブロック図である。
図３０の映像再生装置１１ｄは、チューナ３００１、映像分離部３００２、デコーダ３００３、合成部３００４、ＣＡＴＶチューナアプリ実行部３００５、パケット通信部３００６、ウィジェット抽出部３００７、ウィジェット実行部３００８、グラフィックス作成部３００９、映像再生制御部３０１０、ＩＰ放送映像抽出部３０１１、切替部３０１２、外部入出力管理部３０１３、外部機器再生制御部３０１４、外部モジュール起動停止部３０１５、映像信号入力部３０１６、ｉ．ＬＩＮＫ３０１７、ＨＤＭＩ３０１８を備える。
【０１３０】
チューナ３００１は、一例としてＣＡＴＶのチューナであって、放送搬送波を受信する。映像分離部３００２は、多重化されたストリームデータから、復号する映像データを抽出する。デコーダ３００３は、映像データを表示可能な信号に復号する。合成部３００４は、映像信号及びグラフィックスを１つの表示用プレーンに統合する。ＣＡＴＶチューナアプリ実行部３００５は、放送搬送波の受信と映像再生制御するアプリケーションを実行する部分である。パケット通信部３００６は、インターネット上にあるアプリケーションサーバとデータの送受信を行う。送受信を行うデータには、ＩＰ放送データ、ＶＯＤデータ、ウィジェットプログラムデータ、ウィジェットプログラム実行に必要な画像、音声、映像データ、アプリケーションサーバへの制御信号が含まれる。ウィジェット抽出部３００７は、パケット通信部３００６で受信したパケットから、ウィジェットプログラムを抽出する。ウィジェット実行部３００８は、ウィジェットプログラムを実行する。
【０１３１】
グラフィックス作成部３００９は、ＣＡＴＶチューナアプリ実行部３００５もしくはウィジェット実行部３００８からの描画指示により、グラフィックスを作成する。映像再生制御部３０１０は、ウィジェット実行部３００８からの動画再生指示により、動画再生に関連したモジュールを制御する。ＩＰ放送映像抽出部３０１１は、パケット通信部３００６で受信したパケットから、ＩＰ放送用ストリームデータを抽出する。切替部３０１２は、ＩＰ放送抽出部３０１１で抽出したＩＰ放送用のストリームデータを、映像分離部３００２へ送るか、ｉ．ＬＩＮＫ３０１７に送るかを切り替える。外部入出力管理部３０１３は、ｉ．ＬＩＮＫ３０１７及びＨＤＭＩ３０１８の物理的な接続状況、外部機器の使用状況、外部機器のハードウェア情報を管理する。
【０１３２】
外部機器再生制御部３０１４は、接続された外部機器での再生を制御する部分である。
外部モジュール起動停止部３０１５は、接続された外部機器内のモジュールの起動停止を指示する。映像信号出力部３０１６は、合成部３００４で統合した映像をＨＤＭＩ３０１８へ送信する。ｉ．ＬＩＮＫ３０１７は、ＩＰ放送用ストリームデータの外部機器への転送と、外部機器のハードウェア情報の取得を行うインタフェースである。ＨＤＭ３０１８は、復号された映像信号の外部機器への転送と、外部機器のハードウェア情報の取得と、外部機器内のモジュールの起動停止指示の送信を行うインタフェースである。
【０１３３】
図３１は復号装置１２ｄのより詳細なブロック図である。復号装置１２ｄは、一例として、チューナを内蔵しないテレビジョン受像機であるが、しかしこれに限定されない。復号装置１２ｄは、チューナを内蔵していてもよい。
ｉ．ＬＩＮＫ３１０１は、ＩＰ放送用ストリームデータの転送と、外部機器のハードウェア情報の提供が行えるインタフェースである。ＨＤＭ３１０２は、復号された映像信号の映像再生装置からの転送を受信することと、外部機器のハードウェア情報の提供と、外部機器内のモジュールの起動停止指示の受信が行えるインタフェースである。映像データ入力部３１０３は、ｉ．ＬＩＮＫ３１０１を通じて送信されたデータから、ＩＰ放送用のストリームデータを抽出し、映像分離部３１０９へ送信する。映像再生制御部３１０４は、テレビアプリ実行部３１０８もしくは接続された映像再生装置１１ｄからの動画再生指示により、動画再生に関連したモジュールを制御する。
【０１３４】
機器情報保存部３１０５は、復号装置１２ｄのハードウェア情報を保存する。モジュール起動停止部３１０６は、ＩＰ放送用ストリームデータから映像データを分離し、映像データを復号し、映像再生装置に復号された映像信号を送信するために必要なモジュールの起動停止を行う。映像信号出力部３１０７は、ＨＤＭＩ３１０２に入力された映像信号を抽出し、合成部３１１１へ送信する。テレビアプリ実行部３１０８は、デコーダ３１１０を制御するアプリケーションを制御する。
【０１３５】
映像分離部３１０９は、多重化されたストリームデータから、復号する映像データを抽出する。デコーダ３１１０は、映像データを表示可能な信号に復号する。合成部３１１１は、デコーダ３１１０で復号した映像と、映像信号入力部３１０７の映像を表示用プレーンに合成する。表示部３１１２は、前記した表示用プレーンの映像を受け取って、そのディスプレイに出力し表示する。
【０１３６】
次に、合成部３１１１の詳細を説明する。図３２は、合成部３１１１の概略ブロック図である。
【０１３７】
合成部３１１１は、デコード映像信号切取部３２０１、デコード映像信号保存部３２０２、スケーラ３２０３、合成映像保存部３２０４、外部映像信号保存部３２０５を備える。
デコード映像信号切取部３２０１は、デコード映像信号保存部３２０２に保存された映像信号よりも上位に配置されるウィジェット映像及びグラフィックス領域情報によって、デコード映像信号保存部３２０２に保存された映像信号から、ウィジェット映像領域及びグラフィックス領域を切り取る。
デコード映像信号保存部３２０２は、デコーダ３１１０で復号した映像信号を格納する。スケーラ３２０３は、デコード映像信号保存部３１０２に格納された映像、又は外部映像信号保存部３２０５に格納された映像を、映像再生制御部３１０４が指定するサイズに映像信号を拡大縮小する部分である。
合成映像保存部３２０４は、デコード映像信号保存部３２０２に格納された映像と外部映像信号保存部３２０５に格納された映像を合成し格納する部分である。外部映像信号保存部３２０５は、映像信号入力部３１０７から入力される映像信号を格納する。
【０１３８】
続いて、本実施形態におけるユーザが映像再生装置１１ｄのウィジェット中の動画再生ボタンを選択した場合の処理の流れについて説明する。
図３３は、この描画処理の流れを示すフローチャートである。図３３のフローチャートに示す処理の流れは図８に示す処理の流れと類似するものであるが、しかし図８のステップＳ８０５ないしステップＳ８０９の処理に対応する処理が異なる。したがって、図３３においては、図８のステップＳ８０５ないしステップＳ８０９に対応する処理を、ステップ３３０１ないし３３０５の処理として説明する。
【０１３９】
先ず、映像再生装置１１ｄの外部モジュール起動停止部３０１５を通じて、復号装置１２ｄにおいて復号に必要なモジュールを起動し（Ｓ３３０１）、復号装置１２ｄで復号した映像と外部入力映像との合成であることを、外部機器再生制御部３０１４を通じて、復号装置１２ｄの映像再生制御部３１０４に通知する（Ｓ３３０２）。
次に、切替部３０１２を制御して、ＩＰ放送映像抽出部３０１１からの出力をｉ．ＬＩＮＫ３０１７を通じて復号装置１２ｄに送信し、復号装置１２ｄに対し再生開始を指示する（Ｓ３３０３）。
【０１４０】
次に、復号装置が復号した映像の上側に置かれるグラフィックスと映像の領域情報を映像再生制御部３１０４に通知する（Ｓ３３０４）。最後にグラフィックス３００９で作成したグラフィックス、及びデコーダ３００３でデコードした映像信号を合成部３００４で合成し、映像信号出力部３０１６を通じて、ＨＤＭＩ３０１８に出力する（Ｓ３３０５）。
【０１４１】
図３４は、合成部３１１１における映像とグラフィックスの合成を開始する処理の流れを示すフローチャートである。先ず、復号装置１２ｄのデコーダ３１０９で復号する映像がウィジェット映像であるか否かを判定し（Ｓ３４０１）、ウィジェット映像である場合は、デコード映像信号保存部３２０２の映像のうち、ウィジェット映像より上側にあるグラフィックス領域の映像を無効にし（Ｓ３４０２），外部映像信号保存部３２０５の映像とデコード映像信号保存部３２０２の映像を合成映像保存部３２０４で合成する（Ｓ３４０３）。
【０１４２】
一方、ウィジェット映像でない場合は、デコーダ３１１０で復号する映像はテレビの映像であるため、テレビ映像より上側にあるグラフィックス領域及ウィジェット映像領域を無効にし（Ｓ３４０４），外部映像信号保存部３２０５の映像とデコード映像信号保存部３２０２の映像を合成映像保存部３２０４で合成する（Ｓ３４０３）。
【０１４３】
図３５は、図３４に示した映像とグラフィックスの合成の概念図である。図３４のステップＳ３４０１において、復号装置のデコーダで復号する映像がウィジェット映像である場合は、図３５（ａ）に示すようにウィジェット映像より上側にあるグラフィックスを切り取り、一方、復号装置のデコーダで復号する映像がテレビ映像である場合は、図３５（ｂ）に示すようにテレビ映像より上側にあるグラフィックス領域及びウィジェット映像領域を切り取る。
この点をより詳細に説明をする。
【０１４４】
図３５（ａ）において、左側の画像３５１１、３５１３、３５１４、３５１５は、映像再生装置１１ｄにおいて作成したものであり、それぞれ前面グラフィックス、ウィジェット背景グラフィックス、テレビ映像、テレビ背景グラフィックスを示す。なお、グラフィックス及びテレビ映像の該当個所は、白抜きの部分で示す。また、黒点でハッチングした個所は、透明な個所である。これに対して、左側の画像３５１２は、復号装置１２ｄで作成されたウィジェット映像である。
左側の画像３５１５、３５１４、３５１３、３５１２、３５１１は、この順序に下から順番に積み重ねて合成されるべき物である。
中央下段の画像３５１８は、画像３５１５、３５１４、３５１３、３５１１の順に下から上へと積み重ねて合成したものであり、映像再生装置１１ｄで作成した物である。
中央上段の画像３１６は、画像３５１２と同じものであり、参考のために示したものである。画像３５１７は、ウィジェット映像の上部に関して、前面グラフィックス３５１１と重なる部分を切り取ったものである。右側の画像３５１８は、画像３５１８と画像３５１７とをこの順序に下から上へと重ねて合成した物である。
しかし、上述の処理により、合成結果の画像３５１９は、恰も、画像３５１２を画像３５１３と画像３５１１の間に挟み込んだ物のようになっている。
【０１４５】
図３５（ｂ）において、左側の画像３５２１、３５２２、３５２３は、映像再生装置１１ｄにおいて作成したものであり、それぞれ前面グラフィックス、ウィジェット映像、ウィジェット背景グラフィックス、テレビ背景グラフィックスを示す。これに対して、画像３５２４は、復号装置１２ｄで作成されたテレビ映像である。
左側の画像３５２５、３５２４、３５２３、３５２２、３５２１は、この順序に下から順番に積み重ねて合成されるべき物である。
中央下段の画像３５２８は、画像３５２５、３５２３、３５２２、３５２１の順に下から上へと積み重ねて合成したものであり、映像再生装置１１ｄで作成した物である。
中央上段の画像３５２６は、画像３５２４と同じ物であり、参考のために示したものである。
中央上段の画像３５２７は、テレビ映像の上部に関して、前面グラフィックス３５１２と重なる部分を切り取った物である。右側の画像３５２９は、画像３５２８と画像３５２７とをこの順序で下から上への積み重ねて合成した物である。
しかし、上述の処理により、合成結果の画像３５２９は、恰も、画像３５２４を画像３５２５と画像３５２３の間に挟み込んだ物のようになっている。
【産業上の利用可能性】
【０１４６】
本発明は、映像信号の再生・表示の分野において利用することができる。
【符号の説明】
【０１４７】
１１・・・映像再生装置
１２・・・復号装置
２０１・・・受信部
２０２・・・デコーダ
２０３・・・合成部
２０４・・・表示部
２０６・・・切替部
２０７・・・外部モジュール起動停止部
２０９・・・モジュール起動停止部
２１０・・・インタフェース
２１１・・・デコーダ
３０１・・・チューナ
３０７・・・パケット通信部
２９０１・・・受信部
２９０２・・・デコーダ
２９０３・・・受信部
２９０４・・・切替部
２９０５・・・外部モジュール起動停止部
２９０６・・・インタフェース
２９０７・・・外部モジュール起動停止部
２９０８・・・インタフェース部
２９０９・・・デコーダ
２９１０・・・合成部
２９１１・・・表示部
【図１】
2011193293.tif 000003
【図２】
2011193293.tif 000004
【図３】
2011193293.tif 000005
【図４】
2011193293.tif 000006
【図５】
2011193293.tif 000007
【図６】
2011193293.tif 000008
【図７】
2011193293.tif 000009
【図８】
2011193293.tif 000010
【図９】
2011193293.tif 000011
【図１０】
2011193293.tif 000012
【図１１】
2011193293.tif 000013
【図１２】
2011193293.tif 000014
【図１３】
2011193293.tif 000015
【図１４】
2011193293.tif 000016
【図１５】
2011193293.tif 000017
【図１６】
2011193293.tif 000018
【図１７】
2011193293.tif 000019
【図１８】
2011193293.tif 000020
【図１９】
2011193293.tif 000021
【図２０】
2011193293.tif 000022
【図２１】
2011193293.tif 000023
【図２２】
2011193293.tif 000024
【図２３】
2011193293.tif 000025
【図２４】
2011193293.tif 000026
【図２５】
2011193293.tif 000027
【図２６】
2011193293.tif 000028
【図２７】
2011193293.tif 000029
【図２８】
2011193293.tif 000030
【図２９】
2011193293.tif 000031
【図３０】
2011193293.tif 000032
【図３１】
2011193293.tif 000033
【図３２】
2011193293.tif 000034
【図３３】
2011193293.tif 000035
【図３４】
2011193293.tif 000036
【図３５】
2011193293.tif 000037
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
第１の受信部と、
第２の受信部と、
第２の受信部の映像データを受信する切替部と、
第１の受信部の映像データと前記切替部の第１の出力の映像データとを受けて復号するデコーダと、
前記切替部の第２の出力の映像データを受ける接続手段と、
前記デコーダの出力する映像信号と、前記接続手段から供給される映像信号とを合成する合成部と、
前記合成部の出力する映像を表示する表示部と、
アプリケーションプログラムを実行して前記第２の受信部が受信した映像データを再生した映像とユーザに前記映像の再生を促す表示を前記表示部に表示させるプログラム実行部と、
前記接続手段に接続された外部機器に関する機器情報を取得する外部入出力管理部と、
ユーザに映像を再生するように操作された場合、前記外部機器が備える外部モジュールであって前記映像データの再生に必要な外部モジュールを前記機器情報に基づき起動させる映像再生制御部と、
を具備することを特徴とする映像再生装置。
【請求項２】
前記映像再生制御部は、
前記デコーダを使用できるか否か確認し、前記デコーダが使用できない場合、前記機器情報に基づき使用できる外部モジュールを判定することを特徴とする請求項１に記載の映像再生装置。
【請求項３】
前記機器情報は再生映像の品質を示す仕様情報を含み、
前記映像再生制御部は、
前記仕様情報に基づき前記外部モジュールと前記デコーダのいずれかを使用するか判断することを特徴とする請求項２に記載の映像再生装置。
【請求項４】
前記外部入出力管理部は、
前記外部機器との信号の送信又は受信ができない非接続状態を検知し、
前記映像再生制御部は、使用可能なモジュールを検索し、使用可能なモジュールを起動することを特徴とする請求項１又は２に記載の映像再生装置。
【請求項５】
前記映像再生制御部は、
前記非接続状態により再生が停止した地点から、前記使用可能なモジュールに前記映像データに基づく映像を再生させることを特徴とする請求項４に記載の映像再生装置。
【請求項６】
前記外部モジュールの起動又は停止を指示する外部モジュール起動停止部を具備することを特徴とする請求項１に記載の映像再生装置。
【請求項７】
前記第１の受信部は、
放送波を受信するチューナであることを特徴とする請求項１に記載の映像再生装置。
【請求項８】
前記第２の受信部は、
前記アプリケーションプログラムを受信する受信部であることを特徴とする請求項１に記載の映像再生装置。
【請求項９】
第１の受信部と、
第２の受信部と、
第２の受信部の映像データを受信する切替部と、
第１の受信部の映像データと前記切替部の第１の出力の映像データとを受けて復号するデコーダと、
前記デコーダの出力する映像信号を受ける接続手段と、
前記切替部の第２の出力の映像データを受ける接続手段と、
アプリケーションプログラムを実行して前記第２の受信部が受信した映像データを再生した映像とユーザに前記映像の再生を促す表示を前記表示部に表示させるプログラム実行部と、
前記接続手段に接続された外部機器に関する機器情報を取得する外部入出力管理部と、
ユーザに映像を再生するように操作された場合、前記外部機器が備える外部モジュールであって前記映像データの再生に必要な外部モジュールを前記機器情報に基づき起動させる映像再生制御部と、
を具備することを特徴とする映像再生装置。
【請求項１０】
前記映像再生制御部は、
前記デコーダを使用できるか否か確認し、前記デコーダが使用できない場合、前記機器情報に基づき使用できる外部モジュールを判定することを特徴とする請求項９に記載の映像再生装置。
【請求項１１】
前記機器情報は再生映像の品質を示す仕様情報を含み、
前記映像再生制御部は、
前記仕様情報に基づき前記外部モジュールと前記デコーダのいずれかを使用するか判断することを特徴とする請求項１０に記載の映像再生装置。
【請求項１２】
前記外部入出力管理部は、
前記外部機器との信号の送信又は受信ができない非接続状態を検知し、
前記映像再生制御部は、使用可能なモジュールを検索し、使用可能なモジュールを起動することを特徴とする請求項９又は１０に記載の映像再生装置。
【請求項１３】
前記映像再生制御部は、
前記非接続状態により再生が停止した地点から、前記使用可能なモジュールに前記映像データに基づく映像を再生させることを特徴とする請求項１２に記載の映像再生装置。
【請求項１４】
前記外部モジュールの起動又は停止を指示する外部モジュール起動停止部を具備することを特徴とする請求項９に記載の映像再生装置。
【請求項１５】
前記第１の受信部は、
放送搬送波を受信するチューナであることを特徴とする請求項９に記載の映像再生装置。
【請求項１６】
前記第２の受信部は、
前記アプリケーションプログラムを受信する受信部であることを特徴とする請求項９に記載の映像再生装置。
【請求項１７】
第１の受信部と、第２の受信部と、第２の受信部の映像データを受信する切替部と、第１の受信部の映像データと前記切替部の第１の出力の映像データとを受けて復号するデコーダと、前記切替部の第２の出力の映像データを受ける接続手段と、前記デコーダの出力する映像信号と、前記接続手段から供給される映像信号とを合成する合成部と、前記合成部の出力する映像を表示する表示部とを具備する映像再生装置が実行する映像表示方法において、
前記映像再生装置が、アプリケーションプログラムを実行して前記第２の受信部が受信した映像データを再生した映像とユーザに前記映像の再生を促す表示を前記表示部に表示させる過程と、
前記映像再生装置が、前記接続手段に接続された外部機器に関する機器情報を取得する過程と、
前記映像再生装置が、ユーザに映像を再生するように操作された場合、前記外部機器が備える外部モジュールであって前記映像データの再生に必要な外部モジュールを前記機器情報に基づき起動させる過程と、
を具備することを特徴とする映像表示方法。
【請求項１８】
第１の受信部と、第２の受信部と、第２の受信部の映像データを受信する切替部と、
第１の受信部の映像データと前記切替部の第１の出力の映像データとを受けて復号するデコーダと、前記デコーダの出力する映像信号を受ける接続手段と、前記切替部の第２の出力の映像データを受ける接続手段とを具備する映像再生装置が実行する映像表示方法において、
前記映像再生装置が、アプリケーションプログラムを実行して前記第２の受信部が受信した映像データを再生した映像とユーザに前記映像の再生を促す表示を前記表示部に表示させる過程と、
前記映像再生装置が、前記接続手段に接続された外部機器に関する機器情報を取得する過程と、
前記映像再生装置が、ユーザに映像を再生するように操作された場合、前記外部機器が備える外部モジュールであって前記映像データの再生に必要な外部モジュールを前記機器情報に基づき起動させる過程と、
を具備することを特徴とする映像表示方法。
【手続補正３】
【補正対象書類名】明細書
【補正対象項目名】０００１
【補正方法】変更
【補正の内容】
【０００１】
本発明は、映像再生装置及び映像表示方法に関する。
【手続補正４】
【補正対象書類名】明細書
【補正対象項目名】０００６
【補正方法】変更
【補正の内容】
【０００６】
（１）本発明は上述した課題を解決するためになされたもので、本発明の映像再生装置は、  第１の受信部と、第２の受信部と、第２の受信部の映像データを受信する切替部と、第１の受信部の映像データと前記切替部の第１の出力の映像データとを受けて復号するデコーダと、前記切替部の第２の出力の映像データを受ける接続手段と、前記デコーダの出力する映像信号と、前記接続手段から供給される映像信号とを合成する合成部と、前記合成部の出力する映像を表示する表示部と、アプリケーションプログラムを実行して前記第２の受信部が受信した映像データを再生した映像とユーザに前記映像の再生を促す表示を前記表示部に表示させるプログラム実行部と、前記接続手段に接続された外部機器に関する機器情報を取得する外部入出力管理部と、ユーザに映像を再生するように操作された場合、前記外部機器が備える外部モジュールであって前記映像データの再生に必要な外部モジュールを前記機器情報に基づき起動させる映像再生制御部とを具備することを特徴とする。
【手続補正５】
【補正対象書類名】明細書
【補正対象項目名】０００７
【補正方法】変更
【補正の内容】
【０００７】
（２）また、本発明の映像再生装置は上述の映像再生装置であって、前記映像再生制御部は、前記デコーダを使用できるか否か確認し、前記デコーダが使用できない場合、前記機器情報に基づき使用できる外部モジュールを判定することを特徴とする。
【手続補正６】
【補正対象書類名】明細書
【補正対象項目名】０００８
【補正方法】変更
【補正の内容】
【０００８】
（３）また、本発明の映像再生装置は上述の映像再生装置であって、前記機器情報は再生映像の品質を示す仕様情報を含み、前記映像再生制御部は、前記仕様情報に基づき前記外部モジュールと前記モジュールのいずれかを使用するか判断することを特徴とする。
【手続補正７】
【補正対象書類名】明細書
【補正対象項目名】０００９
【補正方法】変更
【補正の内容】
【０００９】
（４）また、本発明の映像再生装置は上述の映像再生装置であって、前記機器情報は再生映像の品質を示す仕様情報を含み、前記映像再生制御部は、前記仕様情報に基づき前記外部モジュールと前記デコーダのいずれかを使用するか判断することを特徴とする。
【手続補正８】
【補正対象書類名】明細書
【補正対象項目名】００１０
【補正方法】変更
【補正の内容】
【００１０】
（５）また、本発明の映像再生装置は上述の映像再生装置であって、前記映像再生制御部は、前記非接続状態により再生が停止した地点から、前記使用可能なモジュールに前記映像データに基づく映像を再生させることを特徴とする。
【手続補正９】
【補正対象書類名】明細書
【補正対象項目名】００１１
【補正方法】変更
【補正の内容】
【００１１】
（６）また、本発明の映像再生装置は上述の映像表示装置であって、前記外部モジュールの起動又は停止を指示する外部モジュール起動停止部を具備することを特徴とする。
【手続補正１０】
【補正対象書類名】明細書
【補正対象項目名】００１２
【補正方法】変更
【補正の内容】
【００１２】
（７）また、本発明の映像再生装置は上述の映像再生装置であって、前記第１の受信部は、
放送波を受信するチューナであることを特徴とする。
【手続補正１１】
【補正対象書類名】明細書
【補正対象項目名】００１３
【補正方法】変更
【補正の内容】
【００１３】
（８）また、本発明の映像再生装置は上述の映像再生装置であって、前記第２の受信部は、前記アプリケーションプログラムを受信する受信部であることを特徴とする。
【手続補正１２】
【補正対象書類名】明細書
【補正対象項目名】００１４
【補正方法】変更
【補正の内容】
【００１４】
（９）また、本発明の映像再生装置は、第１の受信部と、第２の受信部と、第２の受信部の映像データを受信する切替部と、第１の受信部の映像データと前記切替部の第１の出力の映像データとを受けて復号するデコーダと、前記デコーダの出力する映像信号を受ける接続手段と、前記切替部の第２の出力の映像データを受ける接続手段と、アプリケーションプログラムを実行して前記第２の受信部が受信した映像データを再生した映像とユーザに前記映像の再生を促す表示を前記表示部に表示させるプログラム実行部と、前記接続手段に接続された外部機器に関する機器情報を取得する外部入出力管理部と、ユーザに映像を再生するように操作された場合、前記外部機器が備える外部モジュールであって前記映像データの再生に必要な外部モジュールを前記機器情報に基づき起動させる映像再生制御部とを具備することを特徴とする。
【手続補正１３】
【補正対象書類名】明細書
【補正対象項目名】００１５
【補正方法】変更
【補正の内容】
【００１５】
（１０）また、本発明の映像再生装置は上述の映像再生装置であって、前記映像データを復号する内部モジュールを備え、前記映像再生制御部は、前記内部モジュールを使用できるか否か確認し、前記内部モジュールが使用できない場合、前記機器情報に基づき使用できる外部モジュールを判定することを特徴とする。
【手続補正１４】
【補正対象書類名】明細書
【補正対象項目名】００１６
【補正方法】変更
【補正の内容】
【００１６】
（１１）また、本発明の映像再生装置は上述の映像再生装置であって、前記映像再生制御部は、前記デコーダを使用できるか否か確認し、前記デコーダが使用できない場合、前記機器情報に基づき使用できる外部モジュールを判定することを特徴とする。
【手続補正１５】
【補正対象書類名】明細書
【補正対象項目名】００１７
【補正方法】変更
【補正の内容】
【００１７】
（１２）また、本発明の映像再生装置は上述の映像再生装置であって、前記外部入出力管理部は、前記外部機器との信号の送信又は受信ができない非接続状態を検知し、前記映像再生制御部は、使用可能なモジュールを検索し、使用可能なモジュールを起動することを特徴とする。
【手続補正１６】
【補正対象書類名】明細書
【補正対象項目名】００１８
【補正方法】変更
【補正の内容】
【００１８】
（１３）また、本発明の映像再生装置は上述の映像再生装置であって、前記映像再生制御部は、前記非接続状態により再生が停止した地点から、前記使用可能なモジュールに前記映像データに基づく映像を再生させることを特徴とする。
【手続補正１７】
【補正対象書類名】明細書
【補正対象項目名】００１９
【補正方法】変更
【補正の内容】
【００１９】
（１４）また、本発明の映像再生装置は上述の映像再生装置であって、前記外部モジュールの起動又は停止を指示する外部モジュール起動停止部を具備することを特徴とする。
【手続補正１８】
【補正対象書類名】明細書
【補正対象項目名】００２０
【補正方法】変更
【補正の内容】
【００２０】
（１５）また、本発明の映像再生装置は上述の映像再生装置であって、前記第１の受信部は、放送搬送波を受信するチューナであることを特徴とする。
【手続補正１９】
【補正対象書類名】明細書
【補正対象項目名】００２１
【補正方法】変更
【補正の内容】
【００２１】
（１６）また、本発明の映像再生装置は上述の映像再生装置であって、前記第２の受信部は、前記アプリケーションプログラムを受信する受信部であることを特徴とする。
【手続補正２０】
【補正対象書類名】明細書
【補正対象項目名】００２２
【補正方法】変更
【補正の内容】
【００２２】
（１７）また、本発明の映像表示方法は、第１の受信部と、第２の受信部と、第２の受信部の映像データを受信する切替部と、第１の受信部の映像データと前記切替部の第１の出力の映像データとを受けて復号するデコーダと、前記切替部の第２の出力の映像データを受ける接続手段と、前記デコーダの出力する映像信号と、前記接続手段から供給される映像信号とを合成する合成部と、前記合成部の出力する映像を表示する表示部とを具備する映像再生装置が実行する映像再生方法において、前記映像再生装置が、アプリケーションプログラムを実行して前記第２の受信部が受信した映像データを再生した映像とユーザに前記映像の再生を促す表示を前記表示部に表示させる過程と、前記映像再生装置が、前記接続手段に接続された外部機器に関する機器情報を取得する過程と、前記映像再生装置が、ユーザに映像を再生するように操作された場合、前記外部機器が備える外部モジュールであって前記映像データの再生に必要な外部モジュールを前記機器情報に基づき起動させる過程とを有することを特徴とする。
【手続補正２１】
【補正対象書類名】明細書
【補正対象項目名】００２３
【補正方法】変更
【補正の内容】
【００２３】
（１８）また、本発明の映像表示方法は、第１の受信部と、第２の受信部と、第２の受信部の映像データを受信する切替部と、第１の受信部の映像データと前記切替部の第１の出力の映像データとを受けて復号するデコーダと、前記デコーダの出力する映像信号を受ける接続手段と、前記切替部の第２の出力の映像データを受ける接続手段とを具備する映像再生装置が実行する映像再生方法において、前記映像再生装置が、アプリケーションプログラムを実行して前記第２の受信部が受信した映像データを再生した映像とユーザに前記映像の再生を促す表示を前記表示部に表示させる過程と、前記映像再生装置が、前記接続手段に接続された外部機器に関する機器情報を取得する過程と、前記映像再生装置が、ユーザに映像を再生するように操作された場合、前記外部機器が備える外部モジュールであって前記映像データの再生に必要な外部モジュールを前記機器情報に基づき起動させる過程とを具備することを特徴とする。
【手続補正２２】
【補正対象書類名】明細書
【補正対象項目名】００２４
【補正方法】削除
【補正の内容】